(57)【要約】  本明細書では、第１のＤＣＩフォーマットと第２のＤＣＩフォーマットの間のダウンリンク制御情報（ＤＣＩ）のフォーマットサイズの調整をもたらすための、無線デバイスを動作させる方法の実施形態と、無線デバイスの対応する実施形態とが開示される。いくつかの実施形態では、無線デバイスを動作させる方法は、第１のＤＣＩフォーマットに対する周波数領域リソース割り当てを解釈するための１つまたは複数のリソースブロックグループ（ＲＢＧ）パラメータを決定することを含む。ＲＢＧパラメータは、ＲＢＧ換算係数またはＲＢＧサイズのいずれかである。ＲＢＧパラメータは、第１のＤＣＩフォーマットのサイズが第２のＤＣＩフォーマットのサイズと合致するように、第１のＤＣＩフォーマットに対する周波数領域リソース割り当ての粒度を調節する。この方法は、第１のＤＣＩフォーマットを有するＤＣＩを受信することと、１つまたは複数のＲＢＧパラメータに従ってＤＣＩの周波数領域リソース割り当てを解釈することとをさらに含む。【選択図】図９
2021523639.tif 000002
【特許請求の範囲】
【請求項１】
第１のＤＣＩフォーマットと第２のＤＣＩフォーマットとの間のダウンリンク制御情報（ＤＣＩ）のフォーマットサイズの調整をもたらすように無線デバイスを動作させる方法であって、
前記第１のＤＣＩフォーマットに対する周波数領域リソース割り当てを解釈するための１つまたは複数のリソースブロックグループ（ＲＢＧ）パラメータを決定すること（９００）であって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように、前記周波数領域リソース割り当ての粒度を調節する、１つまたは複数のＲＢＧパラメータを決定すること（９００）と、
前記第１のＤＣＩフォーマットを有するＤＣＩを受信すること（９０２）と、
前記１つまたは複数のＲＢＧパラメータに従って前記ＤＣＩの前記周波数領域リソース割り当てを解釈すること（９０４）と
を含む方法。
【請求項２】
前記周波数領域リソース割り当てを除外したとき、前記第１のＤＣＩフォーマットのビットサイズが、前記第２のＤＣＩフォーマットと比較してＬ−Ｋビット増加し、
Ｋは、前記第１のＤＣＩフォーマットにおいて減少されたかまたは除外されたビットである、前記第２のＤＣＩフォーマットにおける１つまたは複数のフィールドに含まれるビット数に対応する、ビット減少値であり、
Ｌは、前記第２のＤＣＩフォーマットと比較して前記第１のＤＣＩフォーマットに付加された、前記第１のＤＣＩフォーマットにおける１つまたは複数のフィールドに含まれるビット数に対応するビット増加値であり、
前記第１のＤＣＩフォーマットに対する前記周波数領域リソース割り当てを規定するために必要な前記ビット数が、前記第２のＤＣＩフォーマットに対する周波数領域リソース割り当てを規定するために必要なビット数と比較してＬ−Ｋビット以上の分だけ減少するように、前記１つまたは複数のＲＢＧパラメータが前記第１のＤＣＩフォーマットに対する前記周波数領域リソース割り当ての前記粒度を調節する、請求項１に記載の方法。
【請求項３】
前記ＤＣＩの前記周波数領域リソース割り当てを解釈することが、対応する帯域幅部分の周波数領域サイズとともに前記１つまたは複数のＲＢＧパラメータに従って前記ＤＣＩの前記周波数領域リソース割り当てを解釈することを含む、請求項１または２に記載の方法。
【請求項４】
前記対応する帯域幅部分が、前記無線デバイスの対応する初期の帯域幅部分または対応する有効な帯域幅部分のいずれかである、請求項３に記載の方法。
【請求項５】
前記１つまたは複数のＲＢＧパラメータが第１のＲＢＧパラメータを含み、前記第１のＲＢＧパラメータが、（ａ）前記周波数領域リソース割り当ての開始位置に関連した第１の換算係数（Ｍ）または（ｂ）前記周波数領域リソース割り当ての前記開始位置に関連した第１のＲＢＧサイズのいずれかであり、
前記ＤＣＩの前記周波数領域リソース割り当てを解釈すること（９０４）が、前記第１のＲＢＧパラメータに基づいて前記周波数領域リソース割り当ての前記開始位置を決定すること（９０４）を含む、請求項１から４のいずれか一項に記載の方法。
【請求項６】
前記第１のＲＢＧパラメータに基づいて前記周波数領域リソース割り当ての前記開始位置を決定すること（９０４）が、第１のＲＢＧのユニットにおける前記周波数領域リソース割り当ての前記開始位置を決定することを含み、前記第１のＲＢＧのサイズが、（ａ）Ｍの物理的リソースブロック（ＰＲＢ）または（ｂ）前記第１のＲＢＧサイズのいずれかである、請求項５に記載の方法。
【請求項７】
前記１つまたは複数のＲＢＧパラメータが第２のＲＢＧパラメータを含み、前記第２のＲＢＧパラメータが、（ａ）前記周波数領域リソース割り当ての長さに関連した第２の換算係数（Ｎ）または（ｂ）前記周波数領域リソース割り当ての前記長さに関連した第２のＲＢＧサイズのいずれかであり、
前記ＤＣＩの前記周波数領域リソース割り当てを解釈すること（９０４）が、前記第２のＲＢＧパラメータに基づいて前記周波数領域リソース割り当ての前記長さを決定すること（９０４）を含む、請求項５または６に記載の方法。
【請求項８】
前記第２のＲＢＧパラメータに基づいて前記周波数領域リソース割り当ての前記長さを決定すること（９０４）が、第２のＲＢＧのユニットにおける前記周波数領域リソース割り当ての前記長さを決定することを含み、前記第２のＲＢＧのサイズが、（ａ）ＮのＰＲＢまたは（ｂ）前記第２のＲＢＧサイズのいずれかである、請求項７に記載の方法。
【請求項９】
前記周波数領域リソース割り当てがもたらすリソース指示値（ＲＩＶ）が、前記第１のＲＢＧパラメータおよび前記第２のＲＢＧパラメータに基づいて、それぞれ前記周波数領域リソース割り当ての前記開始位置および前記長さにマッピングされる、請求項７または８に記載の方法。
【請求項１０】
前記第１の換算係数（Ｍ）が前記第２の換算係数（Ｎ）と等しく、前記ＲＩＶを表すために必要なビット数が
2021523639.tif 000040
であり、
2021523639.tif 000041
は前記対応する帯域幅部分におけるＰＲＢの数である、請求項９に記載の方法。
【請求項１１】
前記第１のＲＢＧパラメータと前記第２のＲＢＧパラメータとが別個のパラメータである、請求項７から９のいずれか一項に記載の方法。
【請求項１２】
前記第１のＲＢＧパラメータと前記第２のＲＢＧパラメータとが（ａ）等しいパラメータまたは（ｂ）同一のパラメータのいずれかである、請求項７から９のいずれか一項に記載の方法。
【請求項１３】
前記第１のＲＢＧパラメータと前記第２のＲＢＧパラメータが
2021523639.tif 000042
と等しい値を有し、前記周波数領域リソース割り当てを除外したとき、
Ｋは、前記第１のＤＣＩフォーマットにおいて減少されたかまたは除外されたビットである、前記第２のＤＣＩフォーマットにおける１つまたは複数のフィールドに含まれるビット数に対応する、ビット減少値であり、
Ｌは、前記第２のＤＣＩフォーマットと比較して前記第１のＤＣＩフォーマットに付加された、前記第１のＤＣＩフォーマットにおける１つまたは複数のフィールドに含まれるビット数に対応するビット増加値である、請求項１２に記載の方法。
【請求項１４】
前記ＤＣＩがＤＣＩサイズ調整のための１つまたは複数のパディングビットを含む、請求項１から１３のいずれか一項に記載の方法。
【請求項１５】
前記１つまたは複数のＲＢＧパラメータを決定すること（９００）が、前記無線デバイスにおいて前記１つまたは複数のＲＢＧパラメータを決定することを含む、請求項１から１４のいずれか一項に記載の方法。
【請求項１６】
前記無線デバイスにおいて前記１つまたは複数のＲＢＧパラメータを決定すること（９００）が、前記無線デバイスにおいて前記１つまたは複数のＲＢＧパラメータを動的に決定することを含む、請求項１５に記載の方法。
【請求項１７】
前記１つまたは複数のＲＢＧパラメータを決定すること（９００）が、基地局から前記１つまたは複数のＲＢＧパラメータを設定する情報を受信することを含む、請求項１から１４のいずれか一項に記載の方法。
【請求項１８】
前記１つまたは複数のＲＢＧパラメータを設定する前記情報を受信することが、準静的設定によって前記情報を受信することを含む、請求項１７に記載の方法。
【請求項１９】
第１のＤＣＩフォーマットと第２のＤＣＩフォーマットとの間のダウンリンク制御情報（ＤＣＩ）のフォーマットサイズの調整をもたらすための無線デバイスであって、
前記第１のＤＣＩフォーマットに対する周波数領域リソース割り当てを解釈するための１つまたは複数のリソースブロックグループ（ＲＢＧ）パラメータを決定することであって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように、前記周波数領域リソース割り当ての粒度を調節する、１つまたは複数のＲＢＧパラメータを決定することと、
前記第１のＤＣＩフォーマットを有するＤＣＩを受信することと、
前記１つまたは複数のＲＢＧパラメータに従って前記ＤＣＩの周波数領域リソース割り当てを解釈することと
を行うように適合された無線デバイス。
【請求項２０】
請求項２から１８のいずれか一項に記載の方法を実施するようにさらに適合されている、請求項１９に記載の無線デバイス。
【請求項２１】
第１のＤＣＩフォーマットと第２のＤＣＩフォーマットとの間のダウンリンク制御情報（ＤＣＩ）のフォーマットサイズの調整をもたらすための無線デバイス（６１０）であって、
無線インターフェース（６１４）と、
前記無線インタフェース（６１４）に関連した処理回路（６２０）であって、前記無線デバイス（６１０）に、
前記第１のＤＣＩフォーマットに対する周波数領域リソース割り当てを解釈するための１つまたは複数のリソースブロックグループ（ＲＢＧ）パラメータを決定することであって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように前記周波数領域リソース割り当ての粒度を調節する、１つまたは複数のＲＢＧパラメータを決定することと、
前記第１のＤＣＩフォーマットを有するＤＣＩを受信することと、
前記１つまたは複数のＲＢＧパラメータに従って前記ＤＣＩの周波数領域リソース割り当てを解釈することとを行わせるように設定された、処理回路（６２０）と
を備える無線デバイス（６１０）。
【請求項２２】
前記処理回路（６２０）が、請求項２から１８のいずれか一項に記載の方法を実施することを行うようにさらに設定されている、請求項２１に記載の無線デバイス（６１０）。
【請求項２３】
第１のＤＣＩフォーマットと第２のＤＣＩフォーマットとの間のダウンリンク制御情報（ＤＣＩ）のフォーマットサイズの調整をもたらすように基地局を動作させる方法であって、
前記第１のＤＣＩフォーマットに対する周波数領域リソース割り当てを解釈するための１つまたは複数のリソースブロックグループ（ＲＢＧ）パラメータを決定すること（１０００）であって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように前記周波数領域リソース割り当ての粒度を調節する、１つまたは複数のＲＢＧパラメータを決定すること（１０００）と、
前記１つまたは複数のＲＢＧパラメータに応じた周波数領域リソース割り当てを含み、前記第１のＤＣＩフォーマットを有する、ＤＣＩを生成すること（１００２）と、
無線デバイスに前記ＤＣＩを送信すること（１００４）と
を含む方法。
【請求項２４】
前記周波数領域リソース割り当てを除外したとき、前記第１のＤＣＩフォーマットのビットサイズが、前記第２のＤＣＩフォーマットと比較してＬ−Ｋビット増加し、
Ｋは、前記第１のＤＣＩフォーマットにおいて減少されたかまたは除外されたビットである、前記第２のＤＣＩフォーマットにおける１つまたは複数のフィールドに含まれるビット数に対応する、ビット減少値であり、
Ｌは、前記第２のＤＣＩフォーマットと比較して前記第１のＤＣＩフォーマットに付加された、前記第１のＤＣＩフォーマットにおける１つまたは複数のフィールドに含まれるビット数に対応するビット増加値であり、
前記第１のＤＣＩフォーマットに対する前記周波数領域リソース割り当てを規定するために必要な前記ビット数が、前記第２のＤＣＩフォーマットに対する周波数領域リソース割り当てを規定するために必要なビット数と比較してＬ−Ｋビット以上の分だけ減少するように、前記１つまたは複数のＲＢＧパラメータが、前記第１のＤＣＩフォーマットに対する前記周波数領域リソース割り当ての前記粒度を調節する、請求項２３に記載の方法。
【請求項２５】
対応する帯域幅部分の周波数領域サイズとともに前記１つまたは複数のＲＢＧパラメータに応じた前記ＤＣＩの前記周波数領域リソース割り当てがもたらされる、請求項２３または２４に記載の方法。
【請求項２６】
前記対応する帯域幅部分が、前記無線デバイスの対応する初期の帯域幅部分または対応する有効な帯域幅部分のいずれかである、請求項２５に記載の方法。
【請求項２７】
前記１つまたは複数のＲＢＧパラメータが第１のＲＢＧパラメータを含み、前記第１のＲＢＧパラメータが、（ａ）前記周波数領域リソース割り当ての開始位置に関連した第１の換算係数（Ｍ）または（ｂ）前記周波数領域リソース割り当ての前記開始位置に関連した第１のＲＢＧサイズのいずれかであり、
前記周波数領域リソース割り当ての前記開始位置が前記第１のＲＢＧパラメータに基づくものである、請求項２３から２６のいずれか一項に記載の方法。
【請求項２８】
前記周波数領域リソース割り当ての前記開始位置が第１のＲＢＧのユニットにおいてもたらされ、前記第１のＲＢＧのサイズが（ａ）Ｍの物理的リソースブロック（ＰＲＢ）または（ｂ）前記第１のＲＢＧサイズのいずれかである、請求項２７に記載の方法。
【請求項２９】
前記１つまたは複数のＲＢＧパラメータが第２のＲＢＧパラメータを含み、前記第２のＲＢＧパラメータが、（ａ）前記周波数領域リソース割り当ての長さに関連した第２の換算係数（Ｎ）または（ｂ）前記周波数領域リソース割り当ての前記長さに関連した第２のＲＢＧサイズのいずれかであり、
前記周波数領域リソース割り当ての前記長さが前記第２のＲＢＧパラメータに基づくものである、請求項２７または２８に記載の方法。
【請求項３０】
前記周波数領域リソース割り当ての前記長さが第２のＲＢＧのユニットにおいてもたらされ、前記第２のＲＢＧのサイズが（ａ）ＮのＰＲＢまたは（ｂ）前記第２のＲＢＧサイズのいずれかである、請求項２９に記載の方法。
【請求項３１】
前記周波数リソース割り当てがもたらすリソース指示値（ＲＩＶ）が、前記第１のＲＢＧパラメータおよび前記第２のＲＢＧパラメータに基づいて、それぞれ前記周波数領域リソース割り当ての前記開始位置および前記長さにマッピングされる、請求項２９または３０に記載の方法。
【請求項３２】
前記第１の換算係数（Ｍ）が前記第２の換算係数（Ｎ）と等しく、前記ＲＩＶを表すために必要なビット数が
2021523639.tif 000043
であり、
2021523639.tif 000044
は前記対応する帯域幅部分におけるＰＲＢの数である、請求項３１に記載の方法。
【請求項３３】
前記第１のＲＢＧパラメータと前記第２のＲＢＧパラメータとが別個のパラメータである、請求項２９から３１のいずれか一項に記載の方法。
【請求項３４】
前記第１のＲＢＧパラメータと前記第２のＲＢＧパラメータとが（ａ）等しいパラメータまたは（ｂ）同一のパラメータのいずれかである、請求項２９から３１のいずれか一項に記載の方法。
【請求項３５】
前記第１のＲＢＧパラメータと前記第２のＲＢＧパラメータが
2021523639.tif 000045
と等しい値を有し、前記周波数領域リソース割り当てを除外したとき、
Ｋは、前記第１のＤＣＩフォーマットにおいて減少されたかまたは除外されたビットである、前記第２のＤＣＩフォーマットにおける１つまたは複数のフィールドに含まれるビット数に対応する、ビット減少値であり、
Ｌは、前記第２のＤＣＩフォーマットと比較して前記第１のＤＣＩフォーマットに付加された、前記第１のＤＣＩフォーマットにおける１つまたは複数のフィールドに含まれるビット数に対応するビット増加値である、請求項３４に記載の方法。
【請求項３６】
前記ＤＣＩがＤＣＩサイズ調整のための１つまたは複数のパディングビットを含む、請求項２３から３５のいずれか一項に記載の方法。
【請求項３７】
前記１つまたは複数のＲＢＧパラメータを決定すること（１０００）が、前記基地局において前記１つまたは複数のＲＢＧパラメータを決定することを含む、請求項２３から３６のいずれか一項に記載の方法。
【請求項３８】
前記基地局において前記１つまたは複数のＲＢＧパラメータを決定すること（１０００）が、前記基地局において前記１つまたは複数のＲＢＧパラメータを動的に決定することを含む、請求項３７に記載の方法。
【請求項３９】
第１のＤＣＩフォーマットと第２のＤＣＩフォーマットとの間のダウンリンク制御情報（ＤＣＩ）のフォーマットサイズの調整をもたらすための基地局であって、
前記第１のＤＣＩフォーマットに対する周波数領域リソース割り当てを解釈するための１つまたは複数のリソースブロックグループ（ＲＢＧ）パラメータを決定することであって、
前記１つまたは複数のＲＢＧパラメータが、（ａ）１つまたは複数のＲＢＧ換算係数または（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように前記周波数領域リソース割り当ての粒度を調節する、１つまたは複数のＲＢＧパラメータを決定することと、
前記１つまたは複数のＲＢＧパラメータに応じた周波数領域リソース割り当てを含み、前記第１のＤＣＩフォーマットを有する、ＤＣＩを生成することと、
無線デバイスに前記ＤＣＩを送信することと
を行うように適合された基地局。
【請求項４０】
請求項２４から３８のいずれか一項に記載の方法を実施するようにさらに適合されている、請求項３９に記載の基地局。
【請求項４１】
第１のＤＣＩフォーマットと第２のＤＣＩフォーマットとの間のダウンリンク制御情報（ＤＣＩ）のフォーマットサイズの調整をもたらすための基地局（６６０）であって、
前記基地局（６６０）に、
前記第１のＤＣＩフォーマットに対する周波数領域リソース割り当てを解釈するための１つまたは複数のリソースブロックグループ（ＲＢＧ）パラメータを決定することであって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように前記周波数領域リソース割り当ての粒度を調節する、１つまたは複数のＲＢＧパラメータを決定することと、
前記１つまたは複数のＲＢＧパラメータに応じた周波数領域リソース割り当てを含み、前記第１のＤＣＩフォーマットを有する、ＤＣＩを生成することと、
前記ＤＣＩを無線デバイス（６１０）に送信することとを行わせるように設定された処理回路（６７０）
を備える基地局（６６０）。
【請求項４２】
前記処理回路（６７０）が、請求項２４から３８のいずれか一項に記載の方法を実施することを行わせるようにさらに設定されている、請求項４１に記載の基地局（６６０）。
【発明の詳細な説明】
【技術分野】
【０００１】
関連出願
本出願は、２０１８年５月１１日出願の米国特許仮出願第６２／６７０，４８９号の利益を主張するものであり、その開示の全体が参照によってここで本明細書に組み込まれる。
【０００２】
本開示は、無線通信システムにおけるダウンリンク制御情報（ＤＣＩ）に関するものである。
【背景技術】
【０００３】
無線通信ネットワークでは、ネットワークノード間でデータを通信するフォーマットは、指定された既知のやり方で制御情報として送信される。受信ノード（たとえばＬｏｎｇ  Ｔｅｒｍ  Ｅｖｏｌｕｔｉｏｎ（ＬＴＥ）ネットワークにおけるユーザ機器（ＵＥ））は、最初に、送信されたデータのトランスポートフォーマットに関する情報を含有している制御情報を復号する。フォーマット情報の例には、
・割り当て（データは一般的には周波数で配置される）、
・使用される層数、
・変調符号化情報、
・復調参照シンボル、などがある。
【０００４】
新無線（Ｎｅｗ  Ｒａｄｉｏ：ＮＲ）では、ダウンリンク（ＤＬ）データ割り当ておよびアップリンク（ＵＬ）データ許可のために使用されるダウンリンク制御情報（ＤＣＩ）フォーマットは４つある。ＤＬおよびＵＬに関してそれぞれに２つの異なるフォーマットがあり、第１のフォーマットは初期アクセスに使用され、第２のフォーマットは、それ以上の拡張機能が有効になったとき、初期アクセスの後に使用される。第２のフォーマットのサイズは第１のフォーマットよりも大きい。
【０００５】
ＤＣＩ（本明細書では「ＤＣＩメッセージ」とも称される）は、物理的ダウンリンク制御チャネル（ＰＤＣＣＨ）を通じて送信され、ＵＥによってブラインド探索される。ＵＥが実施する探索には、検索空間エントリとして知られている所定の時間−周波数ロケーションにある仮説的ＰＤＣＣＨに基づいて１つまたは複数の復号が試行される、という問題がある。ＵＥは、復号を試行するとき、ＤＣＩの一定のサイズを想定する。これは、ＵＥが、より大きいＤＣＩとより小さいＤＣＩの両方を見つけようとするなら、２つの復号を試行しなければならないことを意味する。
【０００６】
ＰＤＣＣＨが受信され得る時間−周波数ロケーションのセットは検索空間と呼ばれる。ＮＲでは、検索空間を規定する時間−周波数リソースの領域は制御領域セット（ＣＯＲＥＳＥＴ）と呼ばれ、非常に柔軟に設定され得る。ＵＥは、設定されたいくつかのＣＯＲＥＳＥＴを有し得る。
【０００７】
現在、いくつかの課題が存在する。ＮＲは、超高信頼度の低レイテンシ通信（ＵＲＬＬＣ）サービスのサポートを提供することに高い関心が寄せられており、ＬＴＥのリリース１５も同様である。ＵＲＬＬＣ要求に対するＤＣＩフォーマットの必要について検討が継続中である。この理由は、ＵＲＬＬＣが、１０−５以下の低い誤り率要件を伴う、信頼性の極めて高い、ＤＣＩの送信を必要とすることである。リソース消費量が同一であれば、より小さいＤＣＩは、より大きいＤＣＩよりも送信が頑健である。あるいは、信頼性が同一であれば、より小さいＤＣＩは、より大きいＤＣＩよりもリソース消費が少なく、このことは、限りあるＰＤＣＣＨリソース上で頑健性の目標を維持したまま、より大きいＤＣＩを送信し得ることを意味する。
【０００８】
したがって、ＵＲＬＬＣサービスに対して特に適切な新規のＤＣＩフォーマットが必要である。
【発明の概要】
【０００９】
本明細書では、第１のＤＣＩフォーマットと第２のＤＣＩフォーマットとの間のダウンリンク制御情報（ＤＣＩ）のフォーマットサイズの調整と、無線デバイスの対応する実施形態とをもたらすための、無線デバイスを動作させる方法の実施形態が開示される。いくつかの実施形態では、第１のＤＣＩフォーマットと第２のＤＣＩフォーマットとの間のＤＣＩフォーマットサイズの調整をもたらすための無線デバイスを動作させる方法は、第１のＤＣＩフォーマットに対する周波数領域リソース割り当てを解釈するための１つまたは複数のリソースブロックグループ（ＲＢＧ）パラメータを決定することを含む。１つまたは複数のＲＢＧパラメータは、（ａ）１つまたは複数のＲＢＧ換算係数あるいは（ｂ）１つまたは複数のＲＢＧサイズのいずれかである。１つまたは複数のＲＢＧパラメータは、第１のＤＣＩフォーマットのサイズを第２のＤＣＩフォーマットのサイズと合致させるために、周波数領域リソース割り当てを規定するのに必要なビット数を調節するように、第１のＤＣＩフォーマットに対する周波数領域リソース割り当ての粒度を調節する。この方法は、第１のＤＣＩフォーマットを有するＤＣＩを受信することと、１つまたは複数のＲＢＧパラメータに従ってＤＣＩの周波数領域リソース割り当てを解釈することとをさらに含む。
【００１０】
いくつかの実施形態では、周波数領域リソース割り当てを除外したとき、第１のＤＣＩフォーマットのビットサイズが、第２のＤＣＩフォーマットと比較してＬ−Ｋビット増加し、Ｋは、第１のＤＣＩフォーマットにおいて減少されたかまたは除外されたビットである、第２のＤＣＩフォーマットにおける１つまたは複数のフィールドに含まれるビット数に対応する、ビット減少値であり、Ｌは、第２のＤＣＩフォーマットと比較して第１のＤＣＩフォーマットに付加された、第１のＤＣＩフォーマットにおける１つまたは複数のフィールドに含まれるビット数に対応するビット増加値である。いくつかの実施形態では、第１のＤＣＩフォーマットに対する周波数領域リソース割り当てを規定するために必要なビット数が、第２のＤＣＩフォーマットに対する周波数領域リソース割り当てを規定するために必要なビット数と比較してＬ−Ｋビット以上の分だけ減少するように、１つまたは複数のＲＢＧパラメータが第１のＤＣＩフォーマットに対する周波数領域リソース割り当ての粒度を調節する。
【００１１】
いくつかの実施形態では、ＤＣＩの周波数領域リソース割り当てを解釈することは、対応する帯域幅部分の周波数領域サイズとともに１つまたは複数のＲＢＧパラメータに従ってＤＣＩの周波数領域リソース割り当てを解釈することを含む。いくつかの実施形態では、対応する帯域幅部分は、無線デバイスの対応する初期の帯域幅部分または対応する有効な帯域幅部分のいずれかである。
【００１２】
いくつかの実施形態では、１つまたは複数のＲＢＧパラメータは第１のＲＢＧパラメータを含み、第１のＲＢＧパラメータは、（ａ）周波数領域リソース割り当ての開始位置に関連した第１の換算係数（Ｍ）または（ｂ）周波数領域リソース割り当ての開始位置に関連した第１のＲＢＧサイズのいずれかである。さらに、いくつかの実施形態では、ＤＣＩの周波数領域リソース割り当てを解釈することは、第１のＲＢＧパラメータに基づいて周波数領域リソース割り当ての開始位置を決定することを含む。さらに、いくつかの実施形態では、第１のＲＢＧパラメータに基づいて周波数領域リソース割り当ての開始位置を決定することは、第１のＲＢＧのユニットにおける周波数領域リソース割り当ての開始位置を決定することを含み、第１のＲＢＧのサイズは、（ａ）Ｍの物理的リソースブロック（ＰＲＢ）または（ｂ）第１のＲＢＧサイズのいずれかである。いくつかの実施形態では、１つまたは複数のＲＢＧパラメータは第２のＲＢＧパラメータを含み、第２のＲＢＧパラメータは、（ａ）周波数領域リソース割り当ての長さに関連した第２の換算係数（Ｎ）または（ｂ）周波数領域リソース割り当ての長さに関連した第２のＲＢＧサイズのいずれかである。いくつかの実施形態では、ＤＣＩの周波数領域リソース割り当てを解釈することは、第２のＲＢＧパラメータに基づいて周波数領域リソース割り当ての長さを決定することを含む。いくつかの実施形態では、第２のＲＢＧパラメータに基づいて周波数領域リソース割り当ての長さを決定することは、第２のＲＢＧのユニットにおける周波数領域リソース割り当ての長さを決定することを含み、第２のＲＢＧのサイズは、（ａ）ＮのＰＲＢまたは（ｂ）第２のＲＢＧサイズのいずれかである。いくつかの実施形態では、周波数リソース割り当てがもたらすリソース指示値（ＲＩＶ）は、第１のＲＢＧパラメータおよび第２のＲＢＧパラメータに基づいて、それぞれ周波数領域リソース割り当ての開始位置および長さにマッピングされる。いくつかの実施形態では、第１の換算係数（Ｍ）は第２の換算係数（Ｎ）と等しく、ＲＩＶを表すために必要なビット数は
2021523639.tif 000003
であり、ここで、
2021523639.tif 000004
は対応する帯域幅部分におけるＰＲＢの数である。いくつかの実施形態では、第１のＲＢＧパラメータと第２のＲＢＧパラメータは別個のパラメータである。いくつかの実施形態では、第１のＲＢＧパラメータと第２のＲＢＧパラメータは、（ａ）等しいパラメータまたは（ｂ）同一のパラメータのいずれかである。いくつかの実施形態では、第１のＲＢＧパラメータと第２のＲＢＧパラメータは
2021523639.tif 000005
と等しい値を有し、周波数領域リソース割り当てを除外したとき、Ｋは、第１のＤＣＩフォーマットにおいて減少されたかまたは除外されたビットである、第２のＤＣＩフォーマットにおける１つまたは複数のフィールドに含まれるビット数に対応する、ビット減少値であり、Ｌは、第２のＤＣＩフォーマットと比較して第１のＤＣＩフォーマットに付加された、第１のＤＣＩフォーマットにおける１つまたは複数のフィールドに含まれるビット数に対応するビット増加値である。
【００１３】
いくつかの実施形態では、ＤＣＩは、ＤＣＩサイズ調整のための１つまたは複数のパディングビットを含む。
【００１４】
いくつかの実施形態では、１つまたは複数のＲＢＧパラメータを決定することは、無線デバイスにおいて１つまたは複数のＲＢＧパラメータを決定することを含む。
【００１５】
いくつかの実施形態では、無線デバイスにおいて１つまたは複数のＲＢＧパラメータを決定することは、無線デバイスにおいて１つまたは複数のＲＢＧパラメータを動的に決定することを含む。
【００１６】
いくつかの実施形態では、１つまたは複数のＲＢＧパラメータを決定することは、基地局から、１つまたは複数のＲＢＧパラメータを設定する情報を受信することを含む。いくつかの実施形態では、１つまたは複数のＲＢＧパラメータを設定する情報を受信することは、準静的設定によって情報を受信することを含む。
【００１７】
いくつかの形態では、第１のＤＣＩフォーマットと第２のＤＣＩフォーマットの間のＤＣＩフォーマットサイズの調整をもたらすための無線デバイスは、第１のＤＣＩフォーマットに対する周波数領域リソース割り当てを解釈するための１つまたは複数のＲＢＧパラメータを決定するように適合されている。１つまたは複数のＲＢＧパラメータは、（ａ）１つまたは複数のＲＢＧ換算係数あるいは（ｂ）１つまたは複数のＲＢＧサイズのいずれかである。１つまたは複数のＲＢＧパラメーは、第１のＤＣＩフォーマットのサイズを第２のＤＣＩフォーマットのサイズと合致させるために、周波数領域リソース割り当てを規定するのに必要なビット数を調節するように、周波数領域リソース割り当ての粒度を調節する。無線デバイスは、第１のＤＣＩフォーマットを有するＤＣＩを受信して、１つまたは複数のＲＢＧパラメータに従ってＤＣＩの周波数領域リソース割り当てを解釈するようにさらに適合されている。
【００１８】
第１のＤＣＩフォーマットと第２のＤＣＩフォーマットとの間のＤＣＩフォーマットサイズの調整をもたらすように基地局を動作させる方法の実施形態および基地局の対応する実施形態も開示される。いくつかの実施形態では、第１のＤＣＩフォーマットと第２のＤＣＩフォーマットとの間のＤＣＩフォーマットサイズの調整をもたらすように基地局を動作させる方法は、第１のＤＣＩフォーマットに対する周波数領域リソース割り当てを解釈するための１つまたは複数のＲＢＧパラメータを決定することを含む。１つまたは複数のＲＢＧパラメータは、（ａ）１つまたは複数のＲＢＧ換算係数あるいは（ｂ）１つまたは複数のＲＢＧサイズのいずれかである。１つまたは複数のＲＢＧパラメータは、第１のＤＣＩフォーマットのサイズを第２のＤＣＩフォーマットのサイズと合致させるために、周波数領域リソース割り当てを規定するのに必要なビット数を調節するように、第１のＤＣＩフォーマットに対する周波数領域リソース割り当ての粒度を調節する。この方法は、１つまたは複数のＲＢＧパラメータに応じた周波数領域リソース割り当てを含み、第１のＤＣＩフォーマットを有する、ＤＣＩを生成することをさらに含む。この方法は、無線デバイスにＤＣＩを送信することをさらに含む。
【００１９】
いくつかの実施形態では、周波数領域リソース割り当てを除外したとき、第１のＤＣＩフォーマットのビットサイズが、第２のＤＣＩフォーマットと比較してＬ−Ｋビット増加し、Ｋは、第１のＤＣＩフォーマットにおいて減少されたかまたは除外されたビットである、第２のＤＣＩフォーマットにおける１つまたは複数のフィールドに含まれるビット数に対応する、ビット減少値であり、Ｌは、第２のＤＣＩフォーマットと比較して第１のＤＣＩフォーマットに付加された、第１のＤＣＩフォーマットにおける１つまたは複数のフィールドに含まれるビット数に対応するビット増加値である。第１のＤＣＩフォーマットに対する周波数領域リソース割り当てを規定するために必要なビット数が、第２のＤＣＩフォーマットに対する周波数領域リソース割り当てを規定するために必要なビット数と比較してＬ−Ｋビット以上の分だけ減少するように、１つまたは複数のＲＢＧパラメータが、第１のＤＣＩフォーマットに対する周波数領域リソース割り当ての粒度を調節する。
【００２０】
いくつかの実施形態では、対応する帯域幅部分の周波数領域サイズとともに１つまたは複数のＲＢＧパラメータに応じたＤＣＩの周波数領域リソース割り当てがもたらされる。いくつかの実施形態では、対応する帯域幅部分は、無線デバイスの対応する初期の帯域幅部分または対応する有効な帯域幅部分のいずれかである。
【００２１】
いくつかの実施形態では、１つまたは複数のＲＢＧパラメータは第１のＲＢＧパラメータを含み、第１のＲＢＧパラメータは、（ａ）周波数領域リソース割り当ての開始位置に関連した第１の換算係数（Ｍ）または（ｂ）周波数領域リソース割り当ての開始位置に関連した第１のＲＢＧサイズのいずれかである。周波数領域リソース割り当ての開始位置は第１のＲＢＧパラメータに基づくものである。いくつかの実施形態では、周波数領域リソース割り当ての開始位置は第１のＲＢＧのユニットにおいてもたらされ、第１のＲＢＧのサイズは（ａ）ＭのＰＲＢまたは（ｂ）第１のＲＢＧサイズのいずれかである。いくつかの実施形態では、１つまたは複数のＲＢＧパラメータは第２のＲＢＧパラメータを含み、第２のＲＢＧパラメータは、（ａ）周波数領域リソース割り当ての長さに関連した第２の換算係数（Ｎ）または（ｂ）周波数領域リソース割り当ての長さに関連した第２のＲＢＧサイズのいずれかである。周波数領域リソース割り当ての長さは第２のＲＢＧパラメータに基づくものである。いくつかの実施形態では、周波数領域リソース割り当ての長さは第２のＲＢＧのユニットにおいてもたらされ、第２のＲＢＧのサイズは（ａ）ＮのＰＲＢまたは（ｂ）第２のＲＢＧサイズのいずれかである。いくつかの実施形態では、周波数リソース割り当てがもたらすＲＩＶは、第１のＲＢＧパラメータおよび第２のＲＢＧパラメータに基づいて、それぞれ周波数領域リソース割り当ての開始位置および長さにマッピングされる。いくつかの実施形態では、第１の換算係数（Ｍ）は第２の換算係数（Ｎ）と等しく、ＲＩＶを表すために必要なビット数は
2021523639.tif 000006
であり、ここで、
2021523639.tif 000007
は対応する帯域幅部分におけるＰＲＢの数である。いくつかの実施形態では、第１のＲＢＧパラメータと第２のＲＢＧパラメータは別個のパラメータである。いくつかの実施形態では、第１のＲＢＧパラメータと第２のＲＢＧパラメータは、（ａ）等しいパラメータまたは（ｂ）同一のパラメータのいずれかである。いくつかの実施形態では、第１のＲＢＧパラメータと第２のＲＢＧパラメータは
2021523639.tif 000008
と等しい値を有し、周波数領域リソース割り当てを除外したとき、Ｋは、第１のＤＣＩフォーマットにおいて減少されたかまたは除外されたビットである、第２のＤＣＩフォーマットにおける１つまたは複数のフィールドに含まれるビット数に対応する、ビット減少値であり、Ｌは、第２のＤＣＩフォーマットと比較して第１のＤＣＩフォーマットに付加された、第１のＤＣＩフォーマットにおける１つまたは複数のフィールドに含まれるビット数に対応するビット増加値である。
【００２２】
いくつかの実施形態では、ＤＣＩは、ＤＣＩサイズ調整のための１つまたは複数のパディングビットを含む。
【００２３】
いくつかの実施形態では、１つまたは複数のＲＢＧパラメータを決定することは、基地局において１つまたは複数のＲＢＧパラメータを決定することを含む。いくつかの実施形態では、基地局において１つまたは複数のＲＢＧパラメータを決定することは、基地局において１つまたは複数のＲＢＧパラメータを動的に決定することを含む。
【００２４】
本明細書に組み込まれて本明細書の一部分を形成する添付図面は、本開示のいくつかの態様を図解し、説明とともに、本開示の原理について説明するように働くものである。
【図面の簡単な説明】
【００２５】
【図１】本開示の様々な例示の実施形態に対応する可能な周波数領域リソース割り当てを示す図である。
【図２】本開示の様々な例示の実施形態に対応する可能な周波数領域リソース割り当てを示す図である。
【図３】本開示の様々な例示の実施形態に対応する可能な周波数領域リソース割り当てを示す図である。
【図４】本開示の様々な例示の実施形態に対応する可能な周波数領域リソース割り当てを示す図である。
【図５】本開示のいくつかの実施形態による、別々の有効な帯域幅部分（ＢＷＰ）サイズ用の別々のＤＣＩフォーマットに関する例示のダウンリンク制御情報（ＤＣＩ）フォーマットサイズを示す図である。
【図６】本開示の実施形態が実施され得る無線ネットワークの一例を示す図である。
【図７】本開示の実施形態が実施され得るユーザ機器デバイス（ＵＥ）の一例を示す図である。
【図８】本開示のいくつかの実施形態によって実施される機能が仮想化され得る仮想化環境を示す概略ブロック図である。
【図９】本明細書で説明された本開示の実施形態の少なくともいくつかの態様による無線デバイスの動作を示す流れ図である。
【図１０】本明細書で説明された本開示の実施形態の少なくともいくつかの態様によるネットワークノードの動作を示す流れ図である。
【図１１】本開示の実施形態が実施され得る通信システムの一例を示す図である。
【図１２】図１１のＵＥ、基地局、およびホストコンピュータの例示の実装形態を示す図である。
【図１３】図１１および図１２のものなどの通信システムにおいて実施される方法を示す流れ図である。
【図１４】図１１および図１２のものなどの通信システムにおいて実施される方法を示す流れ図である。
【図１５】図１１および図１２のものなどの通信システムにおいて実施される方法を示す流れ図である。
【図１６】図１１および図１２のものなどの通信システムにおいて実施される方法を示す流れ図である。
【図１７】本開示の実施形態が実施され得る装置の一例を示す図である。
【発明を実施するための形態】
【００２６】
以下で明らかにされる実施形態は、当業者が実施形態を実施することを可能にするとともに、実施形態を実施する最善の方式を例証するための情報を表すものである。当業者なら、添付図面に照らして以下の説明を読み取れば、本開示の概念を理解するはずであり、本明細書で特にとりたてて対処されないこれらの概念の用途を理解するはずである。これらの概念および用途は本開示の範囲に含まれることを理解されたい。
【００２７】
今のところ、ダウンリンク制御情報（ＤＣＩ）フォーマットに関して、いくつかの課題が存在する。より具体的には、新無線（ＮＲ）には、超高信頼度の低レイテンシ通信（ＵＲＬＬＣ）サービスのサポートを提供することに高い関心が寄せられており、Ｌｏｎｇ  Ｔｅｒｍ  Ｅｖｏｌｕｔｉｏｎ（ＬＴＥ）のリリース１５についても同様である。ＵＲＬＬＣ要求に対するＤＣＩフォーマットについて、要求に関する審議が進行中である。この理由は、ＵＲＬＬＣが、１０−５以下の低い誤り率要件を伴う、信頼性の極めて高い、ＤＣＩの送信を必要とすることである。リソース消費量が同一であれば、より小さいＤＣＩは、より大きいＤＣＩよりも送信が頑健である。あるいは、信頼性が同一であれば、より小さいＤＣＩは、より大きいＤＣＩよりもリソース消費が少なく、このことは、限りある物理的ダウンリンク制御チャネル（ＰＤＣＣＨ）リソース上で頑健性の目標を維持したまま、より大きいＤＣＩを送信し得ることを意味する。
【００２８】
しかしながら、新規のＤＣＩフォーマットが導入される場合には、それ自体のサイズは、利用可能なＤＣＩサイズのうちの１つと等しくなるはずである。ＵＲＬＬＣ用の新規のＤＣＩフォーマットの目的の１つは、頑健なＰＤＣＣＨ送信のための小さいＤＣＩサイズを得ることであるため、ＤＣＩフォーマット０−０または１−０と同一のサイズの新規のＤＣＩフォーマットを規定することが妥当である。
【００２９】
新規のＤＣＩフォーマットを構築するために、既存のＤＣＩフォーマット０−０または１−０における１つまたは複数のフィールドが除去されてよく、あるいは１つまたは複数のフィールドのビットフィールドサイズが低減されてもよい。その上、１つまたは複数の新規のフィールドが追加されてよい。新規のＤＣＩフォーマットは、サイズが初期の帯域幅部分または有効な帯域幅部分に依拠するＤＣＩフォーマット０−０または１−０とサイズを合致させるべきである。そのため、新規のＤＣＩフォーマットと既存のＤＣＩフォーマット０−１または１−０との間のＤＣＩサイズ調整の方法が必要である。
【００３０】
本開示の特定の態様およびこれらの実施形態は、これらの課題または他の課題に対する解決策を提供し得るものである。新規のＤＣＩフォーマットの周波数領域リソース割り当ては、ＤＣＩフォーマット０−１および１−０に対して使用されるものと同一のタイプ１リソース割り当てに準拠し得るものである。しかしながら、割り当ての開始および／または長さは、グループの物理的リソースブロック（ＰＲＢ）のユニットにおいて行われ得る。本明細書では、ＰＲＢのグループはリソースブロックグループ（ＲＢＧ）とも称される。
【００３１】
本開示の実施形態は、以下のいずれかにより、新規のＤＣＩフォーマットにおける周波数領域割り当てを調節することに基づいてＤＣＩサイズ調整のための方法を提供するものである。
・ＲＢＧサイズをスケーリングするか、または
・新規のＤＣＩフォーマットの設定に関連してＲＢＧサイズを設定する
【００３２】
その上、本開示は、新規のＤＣＩフォーマットのサイズをＤＣＩフォーマット０−０／１−０のサイズと合致させるＲＢＧサイズ換算係数を選択するための方法を教示するものである。その上さらに、本開示は、新規のＤＣＩフォーマットのサイズをＤＣＩフォーマット０−０／１−０のサイズと合致させるＲＢＧサイズを設定するための方法も教示するものである。
【００３３】
次に、論議は、本開示のいくつかの実施形態のより詳細な説明に移る。しかしながら、本開示の実施形態を説明する前に、従来のＤＣＩフォーマット０−０および１−０ならびにＤＣＩフォーマット０−０および１−０に対する周波数領域リソース割り当てのタイプ１を説明することが有益である。
【００３４】
ＤＣＩフォーマット０−０／１−０は、ＰＲＢのユニットにおける周波数領域割り当ての開始および長さを規定する周波数領域リソース割り当てのタイプ１をサポートする。第３世代パートナーシッププロジェクト（３ＧＰＰ）の技術仕様（ＴＳ）３８．２１４のＶ１５．１．１（Ｒ１−１８０５７９６）によれば、所与の帯域幅部分サイズ
2021523639.tif 000009
のＰＲＢについて、アップリンク（ＵＬ）およびダウンリンク（ＤＬ）のタイプ１のリソース割り当てフィールドは、開始の仮想リソースブロック（ＲＢｓｔａｒｔ）および隣接して割り当てられたリソースブロックに関する長さ（ＬＲＢｓ）に対応するリソース指示値（ＲＩＶ）を含む。ＲＩＶは以下のように規定される。
2021523639.tif 000010
であれば
2021523639.tif 000011
であり、そうでなければ
2021523639.tif 000012
であり、ここで、ＬＲＢｓ≧１かつ
2021523639.tif 000013
を超過しないものとする。
【００３５】
ＮＲでは、ＵＬ許可用のより小さいＤＣＩはフォーマット０＿０と呼ばれ、以下のフィールド（３ＧＰＰのＴＳ  ３８．２１２のＶ１５．１．１（Ｒ１−１８０５７９４）を参照されたい）を含む。
2021523639.tif 000014
【００３６】
ＮＲでは、フォーマット１＿０は、１つのＤＬセルにおいて物理的ダウンリンク共有チャネル（ＰＤＳＣＨ）をスケジューリングするために使用され、以下のフィールド（３ＧＰＰのＴＳ  ３８．２１２のＶ１５．１．１（Ｒ１−１８０５７９４）を参照されたい）を含む。
2021523639.tif 000015
【００３７】
ＤＣＩフォーマット０−０および１−０と同一サイズの新規のＤＣＩフォーマットを構築するために、既存のＤＣＩフォーマット０−０または１−０における１つまたは複数のフィールドが除去されてよく、あるいは１つまたは複数のフィールドのビットフィールドサイズが低減されてもよい。その上、１つまたは複数の新規のフィールドが追加されてよい。以下の表３および表４は新規のＤＣＩフォーマットの内容の例を提供するものであり、新規のＤＣＩフォーマットのサイズは、ＤＣＩフォーマット０−０または１−０のサイズと合致する。
2021523639.tif 000016
2021523639.tif 000017
【００３８】
上記の例に見られるように、周波数領域リソース割り当て、変調符号化方式（ＭＣＳ）、およびハイブリッド自動再送要求（ＨＡＲＱ）プロセスナンバなどのフィールドは低減され得ることが予期される（たとえば表３および表４の下線付き斜体の部分を参照されたい）。さらに、マルチアンテナ動作に関連したものなど追加のフィールドが追加され得る（たとえば表３および表４の太字部分を参照されたい）。いくつかの例では、以下の実施形態など、ＭＣＳ表を指示するフィールドがある。
・５ビットのレガシーＭＣＳフィールドが、ＭＣＳ表を指示する１ビットのフィールドと、ＭＣＳを指示する４ビットのフィールド（すなわち、所望のＭＣＳを含有している指示されたＭＣＳ表における行のＭＣＳインデックスを指示する）とに分割される。
・ＭＣＳ表を指示するための１ビットは別のフィールドから再割り当てされ得、５ビットのレガシーＭＣＳフィールドはＭＣＳインデックス指示するために使用される。
【００３９】
ＤＣＩフォーマット０−０／１−０のサイズは初期の帯域幅部分または有効な帯域幅部分のサイズに依拠するので、新規のＤＣＩフォーマットのサイズの調整は、必ずしもＤＣＩフォーマット０−０／１−０のサイズに固定されるとは限らない。むしろ、この調整は（リソース割り当て（ＲＡ）タイプ１に基づいて）、
2021523639.tif 000018
である周波数領域割り当てフィールドのサイズ（すなわちビット数）を決定する初期の帯域幅部分または有効な帯域幅部分のサイズに依拠する。ここで、
2021523639.tif 000019
は、所与の帯域幅部分（ＢＷＰ）に対するＰＲＢにおける割り当てユニットの数（すなわちＰＲＢの数）である。
【００４０】
既存のＤＣＩフォーマット０−０／１−０における（周波数領域リソース割り当てフィールドを除いた）１つまたは複数のフィールドからの、新規のＤＣＩフォーマットの合計サイズの低減が（ＢＷＰのサイズに依拠し得るか否かにかかわらず）Ｋビットであると想定する。また、１つまたは複数の新規のフィールドからの、新規のＤＣＩフォーマットに対して追加されるビットの総数が（ＢＷＰのサイズに依拠し得るか否かにかかわらず）Ｌビットであると想定する。すなわち、所与のＢＷＰに関して、ＤＣＩフォーマット０−０／１−０のサイズと合致させるために、Ｌ−Ｋビットをさらに低減する必要がある。言い換えれば、周波数領域リソース割り当てフィールドを考慮に入れなければ、既存のＤＣＩフォーマット０−０／１−０と比較して、新規のＤＣＩフォーマットのビット増加はＬ−Ｋビットである。したがって、既存のＤＣＩフォーマット０−０／１−０に対して新規のＤＣＩフォーマットのサイズを合致させるためには、Ｌ−Ｋビットのビット低減が必要である。
【００４１】
一実施形態では、ＤＣＩサイズ調整は、初期のＢＷＰまたは有効なＢＷＰのサイズに応じて動的に調節される。
【００４２】
一実施形態では、ＤＣＩサイズ調整は、長さおよび開始のユニットとして異なるＲＢＧサイズを使用して周波数領域割り当てを調節することによって行われる。たとえば、開始位置は、サイズＭのＰＲＢのＲＢＧのユニット（ＭのＰＲＢごとに可能な開始位置）で考えることができ、長さは、サイズＮのＰＲＢのＲＢＧのユニット（ＮのＰＲＢ、２ＮのＰＲＢなどの可能な長さ）で考えることができる。ＭとＮの値は同一でも異なってもよく、準静的に設定され得る。
【００４３】
長さ用のユニットと開始用のユニットとして異なるＲＢＧサイズを使用して周波数領域リソース割り当てを調節するために、３ＧＰＰのＴＳ  ３８．２１４のＶ１５．１．１（Ｒ１−１８０５７９６）におけるＲＩＶは次のように変更され得る。
2021523639.tif 000020
とし、
2021523639.tif 000021
とする。
2021523639.tif 000022
とし、ＲＢｓｔａｒｔ＝Ｍ・ＲＢ’ｓｔａｒｔとする。開始位置および長さがそれぞれＭおよびＮの倍数であるので、これが可能である。周波数領域リソース割り当てによってもたらされるＲＩＶは、開始の仮想リソースブロック（ＲＢ’ｓｔａｒｔ）および隣接して割り当てられたリソースブロックに関する長さ（Ｌ’ＲＢｓ）に対応し、ＲＢ’ｓｔａｒｔはＭのＰＲＢのユニット（すなわちＭのＰＲＢである第１のＲＢＧサイズのユニット）であり、Ｌ’ＲＢｓはＮのＰＲＢのユニット（すなわちＮのＰＲＢである第２のＲＢＧサイズのユニット）である。ＲＩＶは以下のように規定される。
2021523639.tif 000023
であれば、
ＲＩＶ＝ＳＲ（Ｌ’ＲＢｓ−１）＋ＲＢ’ｓｔａｒｔであり、
そうでなければ
ＲＩＶ＝ＳＲ（ＳＬ−Ｌ’ＲＢｓ＋１）＋（ＳＲ−１−ＲＢ’ｓｔａｒｔ）であり、
ここで、Ｌ’ＲＢｓ≧１かつＬＲＢｓは
2021523639.tif 000024
を超過しないものとする。
上記のことを使用すると、ＲＢ’ｓｔａｒｔおよびＬ’ＲＢｓに基づいてＲＩＶを計算することができる。同様に、ＲＩＶから、ＲＢ’ｓｔａｒｔおよびＬ’ＲＢｓの値を決定することができる。上記において、様々なパラメータが以下のように記述され得ることに留意されたい。
・ＳＲは、ＢＷＰにおける周波数領域リソース割り当てに関する可能な開始位置の数である。ＳＲは次式のように規定され得、
2021523639.tif 000025
ここで、「Ｍ」は、本明細書では開始位置の換算係数と称されることがある。重要なことには、従来のＤＣＩフォーマット０−０／１−０では、開始位置はＢＷＰにおける任意のＰＲＢであり得る。しかしながら、ここでは、開始位置として可能なのはたとえばＰＲＢ  １、ＰＲＢ  １＋Ｍ、ＰＲＢ  １＋２Ｍなどのみである。ＰＲＢ  １は、ＢＷＰにおける開始ＰＲＢの単なる一例であることに留意されたい。言い換えれば、開始位置ＲＢ’ｓｔａｒｔは、ＭのＰＲＢのユニットにおいて（すなわちＭのＰＲＢのサイズを有する第１のＲＢＧのユニットにおいて）規定される。
・ＳＬは、ＢＷＰにおける周波数領域リソース割り当てに関する可能な長さの数である。ＳＬは次式のように規定され得、
2021523639.tif 000026
ここで、「Ｎ」は、本明細書では長さの換算係数と称されることがある。重要なことには、従来のＤＣＩフォーマット０−０／１−０では、長さは、１からＢＷＰのサイズまでの範囲における任意数のＰＲＢであり得る。しかしながら、ここでは、可能な長さは、たとえばＢＷＰのサイズまでの、ＮのＰＲＢ、２ＮのＰＲＢなどのみである。言い換えれば、長さＬ’ＲＢｓは、ＮのＰＲＢのユニットにおいて（すなわちＮのＰＲＢのサイズを有する第２のＲＢＧのユニットにおいて）規定される。
・Ｌ’ＲＢｓは、サイズＮ（すなわちＮのＰＲＢのユニットにおける周波数領域リソース割り当てのサイズ）に隣接して割り当てられたＲＢＧの数である。
・ＬＲＢｓは、隣接して割り当てられたリソースブロックの数（すなわちＰＲＢのユニットにおける周波数領域リソース割り当てのサイズ）であり、次式となる。
2021523639.tif 000027
・ＲＢ’ｓｔａｒｔは、ＭのＰＲＢのユニットにおける周波数領域リソース割り当てに関する開始ＲＢＧの位置である。
・ＲＢｓｔａｒｔは、ＰＲＢのユニットにおける周波数領域リソース割り当てに関する開始ＰＲＢの位置であり、次式となる。
ＲＢｓｔａｒｔ＝Ｍ・ＲＢ’ｓｔａｒｔ
【００４４】
他の選択肢が可能であり、たとえばＳＲまたはＳＬの一方または両方の規定における天井動作は床動作によって置換される。これらの選択肢のうちのいくつかでは、ＬＲＢｓの規定におけるｍｉｎは不要であり、ＬＲＢｓ＝Ｎ・Ｌ’ＲＢｓとなる。
【００４５】
ＬＲＢｓが
2021523639.tif 000028
を超過してはならないという条件は、場合によっては緩和され得る。代わりに、この条件は、ＲＢｓｔａｒｔ＋ＬＲＢｓがＮ・ＳＬを超過しないこと、という条件で置換されてよい。ＬＲＢｓが
2021523639.tif 000029
を超過する場合には、これは、ＲＢｓｔａｒｔにおいて始まってＢＷＰの端部において終結する割り当てとして解釈されるものとする。
【００４６】
たとえば、ＲＩＶを表すために必要なビット数は
2021523639.tif 000030
である。
【００４７】
ＭおよびＮは、フォールバックＤＣＩフォーマット（たとえばＤＣＩフォーマット０−０または１−０）と比較したＤＣＩサイズの低減を、必要とされる数と一致させるように選択され得る。これは、ＵＥおよびＮＲノードＢ（ｇＮＢ）において、所定のアルゴリズムに従って個別に行われ得る。やり方の１つには、周波数領域リソース割り当てフィールドのサイズの低減が十分に大きくなるように（たとえば、前述のようにＬ−Ｋビット以上になるように）、Ｍ＝Ｎにセットして、Ｍを２の最小の累乗に選択するものがある。他の実施形態では、周波数領域リソース割り当てフィールドのサイズの低減が十分に大きくなるように（たとえば、前述のように周波数領域リソース割り当てフィールドのサイズの低減がＬ−Ｋビット以上になるように）ＭまたはＮの一方を１にして、他方を２の最小の累乗に選択する。他の実施形態では、周波数領域リソース割り当てフィールドのサイズが十分に小さくなるまで（たとえば、前述のように周波数領域リソース割り当てフィールドのサイズの低減がＬ−Ｋビット以上になるまで）ＭおよびＮを１つずつ小さくする。
【００４８】
前述のように、可能なスケジューリング選択肢の１つには、ｇＮＢが、ＬＲＢｓおよびＲＢｓｔａｒｔを、それぞれＮおよびＭの倍数と見なすものがある。上記の周波数領域割り当てに関連した別々の特殊なケースがあり、たとえば、
１．Ｍ＝Ｎ＝１は、開始位置および長さが１つのＰＲＢのユニットであると考えられる元の周波数領域リソース割り当てに対応する。
２．Ｍ＝１、Ｎ＝２は、開始位置が１つのＰＲＢのユニットであると考えられ、長さが２つのＰＲＢのユニットであると考えられる周波数領域リソース割り当てに対応する。
３．Ｍ＝２、Ｎ＝１は、開始位置が２つのＰＲＢのユニットであると考えられ、長さが１つのＰＲＢのユニットであると考えられる周波数領域リソース割り当てに対応する。
４．Ｍ＝Ｎ＝２は、開始位置および長さが２つのＰＲＢのユニットであると考えられる周波数領域リソース割り当てに対応する。図１〜図４は、上記の例に対応する可能な割り当てを図示するものである。
【００４９】
一例では、Ｍ＝Ｎであれば、周波数領域リソース割り当てフィールドのサイズは
2021523639.tif 000031
から
2021523639.tif 000032
に低減され得る。
【００５０】
いくつかの実施形態では、ＤＣＩサイズ調整は、Ｌ−Ｋ（ＤＣＩサイズを合致させるのに必要な追加のビット）以上の周波数領域割り当て低減を与える最小のＭ（ＲＢＧ換算係数）を選択して周波数領域割り当てを調節することによって達成される。この場合、Ｍの値は暗示的に決定され得る。一般的には、換算係数Ｍは
2021523639.tif 000033
に選択され得る。
【００５１】
ＤＣＩフォーマット０−０／１−０のサイズとさらに合致させるために、新規のＤＣＩフォーマットに対していくつかのパディングビットを加えてよい。
【００５２】
別の実施形態では、ＤＣＩサイズ調整は、準静的に設定されるＲＢＧサイズを使用して周波数領域割り当てを調節することによって達成される。
【００５３】
一実施形態では、ＲＢＧサイズは、新規のＤＣＩフォーマットの設定に関連して設定される。
【００５４】
一実施形態では、設定されるＲＢＧサイズ（たとえば、設定される、開始に関するＲＢＧサイズおよび／または長さに関するＲＢＧサイズ）は、初期のＢＷＰまたは有効なＢＷＰに依拠する。
【００５５】
ＤＣＩフォーマット０−０／１−０のサイズとさらに合致させるために、新規のＤＣＩフォーマットに対していくつかのパディングビットを加えてよい。
【００５６】
いくつかの実施形態では、ＲＢＧサイズは、周波数領域割り当てに関するビット数から決定される。そのような実施形態では、いくつかの他のフィールドのビットサイズは準静的に設定されてよく、周波数領域割り当て用のビット数は、利用可能なビット数から他のフィールド用のビットの合計を減じたものとして決定される。ＵＬの例に関して、合計でＸの利用可能なビットがあり、たとえば準静的にするための前符号化指示用に使用されるビット数をＹビットとし、フィールドの残りは（周波数領域割り当てを除いて）静的であって、合計Ｚであると想定する。そこで、ＵＥは、周波数領域割り当て用のビット数をＸ−Ｙ−Ｚと決定し、この数から、想定するべきＲＢＧサイズを決定する。前符号化指示用に使用されるビット数がＹ′に再設定された場合には、ＵＥは周波数領域割り当て用のビット数をＸ−Ｙ′−Ｚとして再計算し、そのために別のＲＢＧサイズを決定し得る。
【００５７】
別の実施形態では、ＤＣＩフォーマットサイズを調整するために使用され得る特定の順序のアクションのリストが規定され得る。アクションは、ＤＣＩフォーマットが合致するまで継続され得る。これは、
・正確なＲＢＧサイズまたは換算係数を与える式ベースの計算と、
・規定された順序に従って、規定された値まで減少させる（たとえば、第１に、ＨＡＲＱプロセスフィールドを、１ビットずつ、２ビットまで減少させ得、第２に、冗長バージョン（ＲＶ）フィールドを１ビットまで減少させ得、第３に、ＲＢＧサイズを変更し得るなど）必要のあるフィールドのリストと、
・本開示の実施形態からの他のアクションとを含み得る。
【００５８】
次に、新規のＤＣＩフォーマットのサイズを、初期のダウンリンクＢＷＰに関するＤＣＩフォーマット０−０／１−０のサイズと合致させるための例示の実施形態について論じる。図５には、種々のフォーマット、ユーザ機器デバイス（ＵＥ）に特有の検索空間（ＵＳＳ）対一般的な検索空間（ＣＳＳ）、および種々のＢＷＰに関するＤＣＩサイズが示されている。実施形態１において導入される新規のＤＣＩタイプは、サイズＡ０を得るように調整され、すなわちＣＳＳにおけるＤＣＩフォーマット０−０／１−０（ＤＣＩフォーマット０−０／１−０でもある）と合致する。以下では、新規のＤＣＩタイプはそれぞれＤＣＩフォーマット０−３および１−３と呼ばれ、ＤＣＩフォーマット０−３は、Ｃ−ＲＮＴＩによってＣＲＣスクランブルをかけられるＵＲＬＬＣの物理的アップリンク共有チャネル（ＰＵＳＣＨ）のスケジューリング用であり、ＤＣＩフォーマット１−３は、Ｃ−ＲＮＴＩによってＣＲＣスクランブルをかけられるＵＲＬＬＣのＰＤＳＣＨのスケジューリング用である。一例としてＵＲＬＬＣサービスが使用されているが、ＤＣＩフォーマット０−３および１−３は他のサービスタイプ用に使用され得ることに留意されたい。
【００５９】
初期のＢＷＰは有効なＢＷＰと異なり得る（一般的にはより小さい）。したがって、初期のＢＷＰの周波数領域リソース割り当てを、有効なＢＷＰの周波数領域リソース割り当てへと再解釈するやり方が必要である。これは、ＤＣＩフォーマット０−０／１−０が初期のＢＷＰ用に規定されているが、別のＢＷＰサイズが有効であるのと同一の問題である。したがって、原理的に、ＤＣＩ０−０／１−０の再解釈を解決するために採用されるものと同一の方法が、ＤＣＩフォーマット０−３／１−３に対しても同様に使用され得る。
【００６０】
この問題に対するいくつかの解決策が明らかにされている。ＵＲＬＬＣ用の最も有効な解決策は、ＲＩＶの解釈において開始および／または長さをスケーリングすることである。すなわち、ＲＩＶは（サイズを規定する）初期のＢＷＰに従って解釈され、開始および長さをもたらす。この開始／長さが、有効なＢＷＰに適用され、ここでデータ送信が生じるが、開始／長さの一方または両方が、リソースブロック（ＲＢ）のグループ（すなわち、有効なＢＷＰに適用される前に、開始および長さの値に係数Ｋを掛けたもの）に関し解釈される。この解決策により、有効なＢＷＰの内部の開始および長さにおけるより広い範囲が可能になる。この解決策は、ＬＴＥのＤＣＩフォーマット１Ｃに類似である。
【００６１】
ＤＣＩフォーマット０−０および１−０のリソース割り当ての粒度（ｇｒａｎｕｌａｒｉｔｙ）は１つのＲＢである。対照的に、ＤＣＩフォーマット０−３および１−３のリソース割り当ての粒度はＫのＰＲＢである。
【００６２】
本明細書で説明される主題は、任意の適切なタイプのシステムにおいて任意の適切な構成要素を使用して実施され得るものであるが、本明細書で開示される実施形態は、図６で説明される例示の無線ネットワークなどの無線ネットワークに関連して説明される。簡単さのために、図６の無線ネットワークが表すのは、ネットワーク６０６、ネットワークノード６６０および６６０Ｂ、ならびに無線デバイス（ＷＤ）６１０、６１０Ｂ、および６１０Ｃのみである。実際には、無線ネットワークは、無線デバイス間の通信、または無線デバイスと、固定電話、サービスプロバイダ、または任意の他のネットワークノードもしくはエンドデバイスなど別の通信デバイスとの間の通信をサポートするのに適切な任意の追加要素をさらに含み得る。図示された構成要素のうち、ネットワークノード６６０およびＷＤ  ６１０は付加的な詳細を伴って表されている。無線ネットワークは、１つまたは複数の無線デバイスに対して通信および他のタイプのサービスを提供してよく、無線デバイスが、無線ネットワークによって提供されるサービスまたは無線ネットワークを介して提供されるサービスにアクセスすることおよび／または使用することを容易にする。
【００６３】
無線ネットワークは、任意のタイプの通信、遠隔通信、データ、セルラー、および／または無線ネットワークもしくは他の類似のタイプのシステムを備えてよく、かつ／またはこれらとインターフェースをとってよい。いくつかの実施形態では、無線ネットワークは、特定の規格または他のタイプの所定の規則もしくはプロシージャによって動作するように設定され得る。したがって、無線ネットワークの特定の実施形態は、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、および／または他の適切な第２世代（２Ｇ）、第３世代（３Ｇ）、第４世代（４Ｇ）、または第５世代（５Ｇ）の規格などの通信規格、ＩＥＥＥ  ８０２．１１規格などの無線ローカルエリアネットワーク（ＷＬＡＮ）規格および／または、ワイマックス（ＷｉＭａｘ）、ブルートゥース、Ｚ−Ｗａｖｅ、および／またはＺｉｇＢｅｅ規格などの任意の他の適切な無線通信規格を実施してよい。
【００６４】
ネットワーク６０６は、１つまたは複数のバックホールネットワーク、コアネットワーク、インターネットプロトコル（ＩＰ）ネットワーク、公衆スイッチ電話ネットワーク（ＰＳＴＮ）、パケットデータネットワーク、光ネットワーク、広域ネットワーク（ＷＡＮ）、ローカルエリアネットワーク（ＬＡＮ）、ＷＬＡＮ、有線ネットワーク、無線ネットワーク、都市内ネットワーク、およびデバイス間の通信を可能にするための他のネットワークを備え得る。
【００６５】
ネットワークノード６６０およびＷＤ  ６１０は、以下でより詳細に説明される様々な構成要素を備える。これらの構成要素は、無線ネットワークにおいて無線接続をもたらすことなど、ネットワークノードおよび／または無線デバイスの機能をもたらすように連携する。異なる実施形態では、無線ネットワークは、任意数の有線または無線のネットワーク、ネットワークノード、基地局、コントローラ、無線デバイス、中継局、ならびに／あるいは、有線もしくは無線の接続を介したデータおよび／または信号の通信を容易にする、またはこれらに関与する、任意の他の構成要素またはシステムを備え得る。
【００６６】
本明細書で使用されるように、ネットワークノードは、無線デバイスに対する無線アクセスを可能にするため、および／または無線アクセスをもたらすため、ならびに／あるいは無線ネットワークにおける他の機能（たとえば管理）を実施するために、無線ネットワークにおける無線デバイスおよび／または他のネットワークノードもしくは機器と直接的または間接的に通信することができ、通信するように設定され、通信するように構成され、かつ／または通信するように動作可能な機器を指す。ネットワークノードの例は、限定されるものではないが、アクセスポイント（ＡＰ）（たとえば無線ＡＰ）、基地局（ＢＳ）（たとえば無線基地局、ノードＢ、エボルブドノードＢ（ｅＮＢ）、およびｇＮＢ）を含む。基地局は、提供するカバレッジの量（または言い方を変えれば送信電力レベル）に基づいて分類され得、フェムト基地局、ピコ基地局、マイクロ基地局、またはマクロ基地局とも称され得る。基地局は、中継を制御する中継ノードまたは中継ドナーノードでよい。ネットワークノードは、集中型デジタルユニット、および／またはリモート無線ヘッド（ＲＲＨ）と称されることもあるリモートラジオユニット（ＲＲＵ）など、分散型無線基地局の１つまたは複数の（あるいはすべての）部分も含み得る。そのようなＲＲＵは、アンテナ一体型無線としてアンテナに組み込まれてよく、または組み込まれなくてもよい。分散型無線基地局の一部分は、分散型アンテナシステム（ＤＡＳ）におけるノードと称されることもある。ネットワークノードのさらなる例は、ＭＳＲ  ＢＳなどのマルチスタンダード無線（ＭＳＲ）機器、無線ネットワークコントローラ（ＲＮＣ）またはＢＳコントローラ（ＢＳＣ）などのネットワークコントローラ、ベーストランシーバ局（ＢＴＳ）、送信ポイント、送信ノード、マルチセル／マルチキャスト協調エンティティ（ＭＣＥ）、コアネットワークノード（たとえば移動交換センタ（ＭＳＣ）、モビリティ管理エンティティ（ＭＭＥ））、運用および保守（Ｏ＆Ｍ）のノード、運用支援システム（ＯＳＳ）ノード、自己組織化ネットワーク（ＳＯＮ）ノード、測位ノード（たとえばエボルブドサービングモバイルロケーションセンタ（ｅ−ＳＭＬＣ））、および／または運転テストの最小化（ＭＤＴ）を含む。別の例として、ネットワークノードは、以下でより詳細に説明されるような仮想ネットワークノードでよい。しかしながら、より一般的には、ネットワークノードは、無線デバイスに対して無線ネットワークへのアクセスを可能にし、かつ／または提供する、あるいは無線ネットワークにアクセスした無線デバイスに対していくつかのサービスを提供することができ、提供するように設定され、提供するように構成され、かつ／または提供するように動作可能な任意の適切なデバイス（またはデバイスのグループ）を表現し得る。
【００６７】
図６において、ネットワークノード６６０は、処理回路６７０、デバイス可読媒体６８０、インターフェース６９０、補助機器６８４、電源６８６、電力回路６８７、およびアンテナ６６２を含む。図６の例示の無線ネットワークに図示されたネットワークノード６６０は、ハードウェア構成要素の図示された組合せを含むデバイスを表現し得るものであるが、他の実施形態は、構成要素の異なる組合せのネットワークノードを備え得る。ネットワークノードは、本明細書で開示されたタスク、特徴、機能、および方法を実施するのに必要なハードウェアおよび／またはソフトウェアの任意の適切な組合せを備えることを理解されたい。その上に、ネットワークノード６６０の構成要素は、より大きなボックスの内部に配置された単一のボックスとして表されているかまたは複数のボックスの内部にネストにされているが、実際には、ネットワークノードは、図示された単一の構成要素を構成する複数の異なる物理的構成要素を備え得る（たとえば、デバイス可読媒体６８０は複数の別個のハードドライブならびに複数のランダムアクセスメモリ（ＲＡＭ）モジュールを備え得る）。
【００６８】
同様に、ネットワークノード６６０は、複数の物理的に分離した構成要素（たとえばノードＢの構成要素およびＲＮＣの構成要素、あるいはＢＴＳの構成要素およびＢＳＣの構成要素など）から成り得、各構成要素が独自の構成要素を有し得る。ネットワークノード６６０が複数の別個の構成要素（たとえばＢＴＳ構成要素およびＢＳＣ構成要素）を備えるあるシナリオでは、別個の構成要素のうちの１つまたは複数がいくつかのネットワークノードの間で共有され得る。たとえば、単一のＲＮＣが複数のノードＢを制御してよい。そのようなシナリオでは、それぞれの固有のノードＢとＲＮＣの対が、いくつかの事例において単一の別個のネットワークノードと考えられ得る。いくつかの実施形態では、ネットワークノード６６０は、複数の無線アクセス技術（ＲＡＴ）をサポートするように設定され得る。そのような実施形態では、いくつかの構成要素は二重（たとえば異なるＲＡＴ用の別個のデバイス可読媒体６８０）にされてよく、いくつかの構成要素は再利用されてよい（たとえばＲＡＴによって同一のアンテナ６６２が共有され得る）。ネットワークノード６６０は、たとえばＧＳＭ、広帯域符号分割多元接続（ＷＣＤＭＡ）、ＬＴＥ、ＮＲ、Ｗｉ−Ｆｉ、またはブルートゥース無線技術など、ネットワークノード６６０に一体化された異なる無線技術のための様々な図示された構成要素の複数のセットも含み得る。これらの無線技術は、同一のチップもしくは別々のチップまたはチップのセットおよびネットワークノード６６０の内部の他の構成要素に組み込まれ得る。
【００６９】
処理回路６７０は、本明細書でネットワークノードによってもたらされる動作として説明されたあらゆる決定する動作、計算する動作、または類似の動作（たとえばある取得する動作）を実施するように設定されている。処理回路６７０によって実施される動作は、処理回路６７０によって得られた情報をたとえば他の情報に変換して、得られた情報または変換後の情報をネットワークノードに記憶された情報と比較すること、ならびに／あるいは得られた情報または変換後の情報に基づいて１つまたは複数の動作を実施し、前記処理の結果として決定することによって得られる処理情報を含み得る。
【００７０】
処理回路６７０は、マイクロプロセッサ、コントローラ、マイクロコントローラ、中央処理装置（ＣＰＵ）、デジタル信号プロセッサ（ＤＳＰ）、特定用途向け集積回路（ＡＳＩＣ）、フィールドプログラマブルゲートアレイ（ＦＰＧＡ）、もしくは任意の他の適切なコンピュータデバイス、リソースのうち１つまたは複数の組合せ、あるいは、単独で、またはデバイス可読媒体６８０などネットワークノード６６０の他の構成要素と併せて、ネットワークノード６６０の機能性をもたらすように動作可能なハードウェア、ソフトウェアおよび／または符号化されたロジックの組合せを備え得る。たとえば、処理回路６７０は、デバイス可読媒体６８０または処理回路６７０の内部のメモリに記憶された命令を実行し得る。そのような機能性には、本明細書で論じた様々な無線の特徴、機能、または利点のうちの任意のものをもたらすことが含まれ得る。いくつかの実施形態では、処理回路６７０はシステムオンチップ（ＳＯＣ）を含み得る。
【００７１】
いくつかの実施形態では、処理回路６７０は、無線周波数（ＲＦ）トランシーバ回路６７２およびベースバンド処理回路６７４のうちの１つまたは複数を含み得る。いくつかの実施形態では、ＲＦトランシーバ回路６７２およびベースバンド処理回路６７４は、別個のチップ（またはチップのセット）上、基板上、または無線ユニットおよびデジタルユニットなどのユニット上に存在し得る。代替実施形態では、ＲＦトランシーバ回路６７２およびベースバンド処理回路６７４の一部分またはすべてが、同一のチップまたはチップのセット上、基板上、またはユニット上に存在し得る。
【００７２】
ある実施形態では、ネットワークノード、基地局、ｅＮＢ、または他のそのようなネットワークデバイスによってもたらされるものとして本明細書で説明された機能性のいくつかまたはすべては、デバイス可読媒体６８０または処理回路６７０の内部のメモリに記憶された命令を実行する処理回路６７０によって実施されてよい。代替実施形態では、機能性のうちのいくつかまたはすべてが、処理回路６７０によって、ハードワイヤード式などで、別個のまたは離散型のデバイス可読媒体に記憶された命令を実行することなく、もたらされ得る。それらの実施形態のあらゆるものにおいて、デバイス可読記憶媒体に記憶された命令の実行の有無にかかわらず、処理回路６７０は、説明された機能性を実施するように設定され得る。そのような機能性によってもたらされる利点は、単体の処理回路６７０またはネットワークノード６６０の他の構成要素に限定されず、一般に、全体としてのネットワークノード６６０ならびに／あるいはエンドユーザおよび無線ネットワークによって享受される。
【００７３】
デバイス可読媒体６８０は、持続性の記憶機構、ソリッドステートメモリ、遠隔の記憶装置、磁気媒体、光媒体、ＲＡＭ、読取り専用メモリ（ＲＯＭ）、大容量記憶媒体（たとえばハードディスク）、取外し可能記憶媒体（たとえばフラッシュドライブ、コンパクトディスク（ＣＤ）またはデジタルビデオティスク（ＤＶＤ））、ならびに／あるいは任意の他の揮発性または不揮発性の、非一時的な、デバイス可読、かつ／または情報、データ、および／または処理回路６７０によって使用され得る命令を記憶する、コンピュータ実行可能な記憶デバイスを制限なく含む、任意の形式の揮発性または不揮発性のコンピュータ可読記憶装置を備え得る。デバイス可読媒体６８０は、ロジック、規則、コード、表などのうちの１つまたは複数を含むコンピュータプログラム、ソフトウェア、アプリケーション、および／または処理回路６７０によって実行され得、ネットワークノード６６０によって利用される他の命令を含む、任意の適切な命令、データまたは情報を記憶し得る。デバイス可読媒体６８０は、処理回路６７０による任意の演算および／またはインターフェース６９０を介して受信された任意のデータを記憶するように使用され得る。いくつかの実施形態では、処理回路６７０とデバイス可読媒体６８０を一体化するように考えられてよい。
【００７４】
インターフェース６９０は、ネットワークノード６６０、ネットワーク６０６、および／またはＷＤ  ６１０との間のシグナリングおよび／またはデータの有線もしくは無線の通信において使用され得る。図示のように、インターフェース６９０は、たとえばネットワーク６０６との間で有線接続を通じてデータを送受信するためのポート／端末６９４を備える。インターフェース６９０には、アンテナ６６２に結合され得る、またはある実施形態ではアンテナ６６２の一部分であり得る、無線フロントエンド回路６９２も含まれる。無線フロントエンド回路６９２はフィルタ６９８および増幅器６９６を備える。無線フロントエンド回路６９２は、アンテナ６６２および処理回路６７０に接続され得る。無線フロントエンド回路６９２は、アンテナ６６２と処理回路６７０の間で通信される信号を調整するように設定されてよい。無線フロントエンド回路６９２が受信し得るデジタルデータは、無線接続を通じて他のネットワークノードまたはＷＤに送られるものである。無線フロントエンド回路６９２は、フィルタ６９８および／または増幅器６９６の組合せを使用して、デジタルデータを、適切なチャネルおよび帯域幅のパラメータを有する無線信号に変換してよい。次いで、無線信号は、アンテナ６６２を通じて送信されてよい。同様に、データを受信するときには、アンテナ６６２によって収集され得た無線信号が無線フロントエンド回路６９２によってデジタルデータに変換される。デジタルデータは処理回路６７０に渡され得る。他の実施形態では、インターフェース６９０は、異なる構成要素および／または異なる構成要素の組合せを備え得る。
【００７５】
ある代替実施形態では、ネットワークノード６６０は個別の無線フロントエンド回路６９２を含まなくてよく、代わりに、処理回路６７０が、無線フロントエンド回路を備えて、個別の無線フロントエンド回路６９２のないアンテナ６６２に接続され得る。同様に、いくつかの実施形態では、ＲＦトランシーバ回路６７２のいくつかまたはすべてがインターフェース６９０の一部分と考えられる。さらに別の実施形態では、インターフェース６９０が、無線ユニット（図示せず）の一部分として、１つまたは複数のポートまたは端末６９４、無線フロントエンド回路６９２、およびＲＦトランシーバ回路６７２を含んでよく、デジタルユニット（図示せず）の一部分であるベースバンド処理回路６７４と通信し得る。
【００７６】
アンテナ６６２は１つまたは複数のアンテナまたはアンテナアレイを含み得、無線信号を送信および／または受信するように設定されている。アンテナ６６２はデータおよび／または信号を無線で送受信可能な任意のタイプのアンテナでよく、無線フロントエンド回路６９２に結合され得る。いくつかの実施形態では、アンテナ６６２は、たとえば２ＧＨｚ〜６６ＧＨｚの無線信号を送信／受信するように動作可能な１つまたは複数の全方向性アンテナ、セクタアンテナ、またはパネルアンテナを備え得る。全方向性アンテナはあらゆる方向の無線信号を送信／受信するように使用されてよく、セクタアンテナは特定の領域内のデバイスとの間で無線信号を送信／受信するように使用されてよく、パネルアンテナは、比較的直線の無線信号を送信／受信するために使用される視線アンテナでよい。いくつかの事例では、複数のアンテナを使用することは多重入出力（ＭＩＭＯ）と称され得る。ある実施形態では、アンテナ６６２はネットワークノード６６０から分離されてよく、インターフェースまたはポートを介してネットワークノード６６０に接続可能であり得る。
【００７７】
アンテナ６６２、インターフェース６９０、および／または処理回路６７０は、本明細書においてネットワークノードが実施するものとして説明されたあらゆる受信動作および／またはある取得動作を実施するように設定され得る。任意の情報、データおよび／または信号が、ＷＤ、別のネットワークノードおよび／または任意の他のネットワーク機器から受信され得る。同様に、アンテナ６６２、インターフェース６９０、および／または処理回路６７０は、本明細書においてネットワークノードが実施するものとして説明されたあらゆる送信動作を実施するように設定され得る。任意の情報、データおよび／または信号が、ＷＤ、別のネットワークノード、および／または任意の他のネットワーク機器に送信され得る。
【００７８】
電力回路６８７は、電力管理回路を備えてよく、または電力管理回路に結合されてもよく、ネットワークノード６６０の構成要素に対して、本明細書で説明された機能性を実施するための電力を供給するように設定されている。電力回路６８７は電源６８６から電力を受け取り得る。電源６８６および／または電力回路６８７は、ネットワークノード６６０の様々な構成要素に対して、それぞれの構成要素にとって適切な形態で（たとえば各それぞれの構成要素向けに、必要な電圧および電流のレベルで）電力を供給するように設定され得る。電源６８６は、電力回路６８７および／またはネットワークノード６６０に含まれてよく、または外部にあってもよい。たとえば、ネットワークノード６６０は、入力回路または電気ケーブルなどのインターフェースを介して外部電源（たとえば電力コンセント）に接続可能でよく、それによって外部電源が電力回路６８７に電力を供給する。さらなる例として、電源６８６は、電力回路６８７に接続されているかまたは組み込まれているバッテリーまたはバッテリーパックの形態の電力源を備え得る。バッテリーは、万一外部電源が役に立たないときバックアップ電力を供給し得る。光起電力デバイスなど他のタイプの電源も使用され得る。
【００７９】
ネットワークノード６６０の代替実施形態に含まれ得る、図６に示されたもの以上のさらなる構成要素は、本明細書で説明された機能性のうちの任意のものおよび／または本明細書で説明された主題をサポートするのに必要なあらゆる機能性を含む、ネットワークノードの機能性の特定の態様をもたらすことを担い得るものである。たとえば、ネットワークノード６６０には、ネットワークノード６６０への情報の入力を可能にし、かつネットワークノード６６０からの情報の出力を可能にするためのユーザインターフェース機器が含まれ得る。これによって、ユーザは、ネットワークノード６６０に対する診断、保守、修理、および他の管理機能を実施することができる。
【００８０】
本明細書で使用されるように、ＷＤは、ネットワークノードおよび／または他のＷＤと、無線通信することが可能な、無線通信するように設定された、無線通信するように構成された、かつ／または無線通信するように動作可能なデバイスを指す。ＷＤという用語は、本明細書では、他に断らない限りＵＥと区別なく使用され得るものである。無線で通信することは、電磁波、電波、赤外線波、および／または空中の情報伝達に適切な他のタイプの信号を使用して、無線信号を送信および／または受信することを包含し得る。いくつかの実施形態では、ＷＤは、人間との直接的な相互作用なしで情報を送信および／または受信するように設定され得る。たとえば、ＷＤは、内部または外部のイベントによって起動されたとき、またはネットワークからの要求に応答して、所定のスケジュールに基づき、ネットワークへ情報を送信するように設計され得る。ＷＤの例は、限定されるものではないが、スマートフォン、携帯電話、セル式電話、ボイスオーバＩＰ（ＶｏＩＰ）フォン、無線ローカルループフォン、デスクトップコンピュータ、携帯情報端末（ＰＤＡ）、無線カメラ、ゲーム用のコンソールまたはデバイス、音楽記憶デバイス、再生機器、着用可能端末デバイス、無線エンドポイント、モバイルステーション、タブレット、ラップトップ、ラップトップ組込型機器（ＬＥＥ）、ラップトップ搭載型機器（ＬＭＥ）、スマートデバイス、無線の顧客構内機器（ＣＰＥ）、車載無線端末デバイスなどを含む。ＷＤは、たとえば、サイドリンク通信のための３ＧＰＰ規格、Ｖ２Ｖ（ｖｅｈｉｃｌｅ−ｔｏ−ｖｅｈｉｃｌｅ）通信、Ｖ２Ｉ（ｖｅｈｉｃｌｅ−ｔｏ−ｉｎｆｒａｓｔｒｕｃｔｕｒｅ）通信、Ｖ２Ｘ（ｖｅｈｉｃｌｅ−ｔｏ−ｅｖｅｒｙｔｈｉｎｇ）通信を実施することによってＤ２Ｄ（ｄｅｖｉｃｅ−ｔｏ−ｄｅｖｉｃｅ）通信をサポートし得、この場合Ｄ２Ｄ通信デバイスと称され得る。もう一つの具体例として、モノのインターネット（ＩｏＴ）のシナリオでは、ＷＤは、監視および／または測定を実施してそのような監視および／または測定の結果を別のＷＤおよび／またはネットワークノードに送信する、マシンまたは他のデバイスを表し得る。ＷＤは、この場合マシン間（Ｍ２Ｍ）デバイスでよく、３ＧＰＰの状況ではマシンタイプ通信（ＭＴＣ）デバイスと称され得る。特定の例の１つとして、ＷＤは、３ＧＰＰの狭帯域ＩｏＴ（ＮＢ−ＩｏＴ）規格を実施するＵＥでよい。そのようなマシンまたはデバイスの特定の例には、センサ、電力計などの計量デバイス、工業用機械、家庭用機器もしくは個人用機器（たとえば冷蔵庫、テレビなど）、または個人用ウェアラブル（たとえば腕時計、フィットネストラッカなど）がある。他のシナリオでは、ＷＤは、それ自体の運転状態もしくは動作に関連した他の機能について報告することおよび／または監視することが可能な車両または他の機器を表し得る。上記で説明されたようなＷＤは無線接続のエンドポイントを表してよく、その場合には、デバイスは、無線端末と称され得る。その上、上記で説明されたようなＷＤは可動性であり得、その場合にはモバイルデバイスまたはモバイル端末と称され得る。
【００８１】
図６で図示されたように、ＷＤ  ６１０は、アンテナ６１１、インターフェース６１４、処理回路６２０、デバイス可読媒体６３０、ユーザインターフェース機器６３２、補機６３４、電源６３６、および電力回路６３７を含む。ＷＤ  ６１０は、少し例を挙げるだけでも、たとえばＧＳＭ、ＷＣＤＭＡ、ＬＴＥ、ＮＲ、Ｗｉ−Ｆｉ、ＷｉＭＡＸ、またはブルートゥース無線技術など、ＷＤ  ６１０によってサポートされる種々の無線技術用の図示された構成要素の１つまたは複数の複数のセットを含み得る。これらの無線技術は、ＷＤ  ６１０の内部の他の構成要素として、同一のチップもしくは別々のチップまたはチップのセットに組み込まれ得るものである。
【００８２】
アンテナ６１１に含まれ得る１つもしくは複数のアンテナまたはアンテナアレイは、無線信号を送り、かつ／または受信するように設定されてインターフェース６１４に接続されている。ある代替実施形態では、アンテナ６１１はＷＤ  ６１０から分離されてよく、インターフェースまたはポートを介してＷＤ  ６１０に接続可能であり得る。アンテナ６１１、インターフェース６１４、および／または処理回路６２０は、本明細書においてＷＤが実施するものとして説明されたあらゆる受信動作または送信動作を実施するように設定され得る。任意の情報、データおよび／または信号が、ネットワークノードおよび／または別のＷＤから受信され得る。いくつかの実施形態では、無線フロントエンド回路および／またはアンテナ６１１はインターフェースと見なされてよい。
【００８３】
図示のように、インターフェース６１４は無線フロントエンド回路６１２およびアンテナ６１１を備える。無線フロントエンド回路６１２は、１つまたは複数のフィルタ６１８および増幅器６１６を備える。無線フロントエンド回路６１２は、アンテナ６１１および処理回路６２０に接続されており、アンテナ６１１と処理回路６２０の間で通信される信号を調整するように設定されている。無線フロントエンド回路６１２は、アンテナ６１１に結合されてよく、またはアンテナ６１１の一部分でもよい。いくつかの実施形態では、ＷＤ  ６１０は、別個の無線フロントエンド回路６１２を含まなくてよく、むしろ、処理回路６２０が無線フロントエンド回路を備えてアンテナ６１１に接続され得る。同様に、いくつかの実施形態では、ＲＦトランシーバ回路６２２のいくつかまたはすべてがインターフェース６１４の一部分と見なされ得る。無線フロントエンド回路６１２が受信し得るデジタルデータは、無線接続を通じて他のネットワークノードまたはＷＤに送られるものである。無線フロントエンド回路６１２は、フィルタ６１８および／または増幅器６１６の組合せを使用して、デジタルデータを、適切なチャネルおよび帯域幅のパラメータを有する無線信号に変換してよい。次いで、無線信号は、アンテナ６１１を通じて送信されてよい。同様に、データを受信するときには、アンテナ６１１によって収集され得た無線信号が無線フロントエンド回路６１２によってデジタルデータに変換される。デジタルデータは処理回路６２０に渡され得る。他の実施形態では、インターフェース６１４は、異なる構成要素および／または異なる構成要素の組合せを備え得る。
【００８４】
処理回路６２０は、マイクロプロセッサ、コントローラ、マイクロコントローラ、ＣＰＵ、ＤＳＰ、ＡＳＩＣ、ＦＰＧＡ、もしくは任意の他の適切なコンピュータデバイス、リソースのうちの１つまたは複数の組合せ、あるいは、単独で、またはデバイス可読媒体６３０などＷＤ  ６１０の他の構成要素と併せて、ＷＤ  ６１０の機能性をもたらすように動作可能なハードウェア、ソフトウェア、および／または符号化されたロジックの組合せを備え得る。そのような機能性には、本明細書で論じた様々な無線の特徴または利点のうちの任意のものをもたらすことが含まれ得る。たとえば、処理回路６２０は、本明細書で開示された機能性をもたらすために、デバイス可読媒体６３０または処理回路６２０の内部のメモリに記憶された命令を実行してよい。
【００８５】
図示のように、処理回路６２０は、ＲＦトランシーバ回路６２２、ベースバンド処理回路６２４、およびアプリケーション処理回路６２６のうちの１つまたは複数を含む。他の実施形態では、処理回路６２０は、異なる構成要素および／または異なる構成要素の組合せを備え得る。ある実施形態では、ＷＤ  ６１０の処理回路６２０はＳＯＣを備え得る。いくつかの実施形態では、ＲＦトランシーバ回路６２２、ベースバンド処理回路６２４、およびアプリケーション処理回路６２６は、別個のチップ上またはチップのセット上に存在してよい。代替実施形態では、ベースバンド処理回路６２４およびアプリケーション処理回路６２６の一部分またはすべてが、１つのチップまたはチップのセットへと組み合わされてよく、ＲＦトランシーバ回路６２２は別個のチップ上またはチップのセット上に存在してよい。さらなる代替実施形態では、ＲＦトランシーバ回路６２２およびベースバンド処理回路６２４の一部分またはすべてが、同一のチップ上またはチップのセット上に存在してよく、アプリケーション処理回路６２６は別個のチップ上またはチップのセット上に存在してよい。さらに別の代替実施形態では、ＲＦトランシーバ回路６２２、ベースバンド処理回路６２４、およびアプリケーション処理回路６２６の一部分またはすべてが、同一のチップまたはチップのセットにおいて組み合わされてよい。いくつかの実施形態では、ＲＦトランシーバ回路６２２はインターフェース６１４の一部分でよい。ＲＦトランシーバ回路６２２は、処理回路６２０向けのＲＦ信号を調整し得る。
【００８６】
ある実施形態では、本明細書でＷＤが実施するものとして説明された機能性のいくつかまたはすべてが、ある実施形態では、コンピュータ可読記憶媒体であり得るデバイス可読媒体６３０に記憶された命令を実行する処理回路６２０によってもたらされ得る。代替実施形態では、機能性のうちのいくつかまたはすべてが、処理回路６２０によってハードワイヤード式などで、別個のまたは離散型のデバイス可読記憶媒体に記憶された命令を実行することなく、回路もたらされ得る。それらの特定の実施形態のあらゆるものにおいて、デバイス可読記憶媒体に記憶された命令の実行の有無にかかわらず、処理回路６２０は、説明された機能性を実施するように設定され得る。そのような機能性によってもたらされる利点は、単体の処理回路６２０またはＷＤ  ６１０の他の構成要素に限定されず、一般に、全体としてのＷＤ  ６１０ならびに／あるいはエンドユーザおよび無線ネットワークによって享受される。
【００８７】
処理回路６２０は、本明細書でＷＤによって実施される動作として説明されたあらゆる決定する動作、計算する動作、または類似の動作（たとえば一定の取得する動作）を実施するように設定され得る。処理回路６２０によって実施されるこれらの動作は、処理回路６２０によって得られた情報をたとえば他の情報に変換して、得られた情報または変換後の情報をＷＤ  ６１０に記憶された情報と比較する動作、ならびに／あるいは得られた情報または変換後の情報に基づいて１つまたは複数の動作を実施し、前記処理の結果として決定する動作を含み得る。
【００８８】
デバイス可読媒体６３０は、ロジック、規則、コード、表などのうちの１つまたは複数を含むコンピュータプログラム、ソフトウェア、アプリケーション、および／または処理回路６２０によって実行され得る他の命令を記憶するように動作し得る。デバイス可読媒体６３０には、コンピュータメモリ（たとえばＲＡＭまたはＲＯＭ）、大容量記憶媒体（たとえばハードディスク）、取外し可能記憶媒体（たとえばＣＤまたはＤＶＤ）、ならびに／あるいは情報、データ、および／または処理回路６２０によって使用され得る命令を記憶する、任意の他の揮発性または不揮発性の、非一時的な、デバイス可読かつ／またはコンピュータ実行可能の記憶デバイスが含まれ得る。いくつかの実施形態では、処理回路６２０とデバイス可読媒体６３０を一体化するように考えられてよい。
【００８９】
ユーザインターフェース機器６３２は、人間のユーザがＷＤ  ６１０と相互作用することを可能にする構成要素を提供し得る。そのような相互作用は、視覚、聴覚、触覚など多くの形態であり得る。ユーザインターフェース機器６３２は、ユーザに対して出力を生成し、ユーザがＷＤ  ６１０に入力を供給することを可能にするように動作可能であり得る。相互作用のタイプは、ＷＤ  ６１０にインストールされたユーザインターフェース機器６３２のタイプに依拠して変化し得る。たとえば、ＷＤ  ６１０がスマートフォンであれば、相互作用はタッチスクリーンを介するものであり得、ＷＤ  ６１０がスマートメータであれば、相互作用は、使用量（たとえば使用されたガロン数）を与えるスクリーン、または（たとえば煙が検知された場合に）音響の警報をもたらすスピーカによるものであり得る。ユーザインターフェース機器６３２は、入力のインターフェース、デバイスおよび回路、ならびに出力のインターフェース、デバイスおよび回路を含み得る。ユーザインターフェース機器６３２は、ＷＤ  ６１０への情報の入力を可能にするように設定されて処理回路６２０に接続され、処理回路６２０が入力情報を処理することを可能にする。ユーザインターフェース機器６３２は、たとえばマイクロフォン、近接センサまたは他のセンサ、キー／ボタン、タッチディスプレイ、１つまたは複数のカメラ、ユニバーサルシリアルバス（ＵＳＢ）ポート、または他の入力回路を含み得る。ユーザインターフェース機器６３２は、ＷＤ  ６１０から情報を出力することを可能にし、処理回路６２０がＷＤ  ６１０から情報を出力することを可能にするようにも設定されている。ユーザインターフェース機器６３２は、たとえばスピーカ、表示器、振動回路、ＵＳＢポート、ヘッドフォンインターフェース、または他の出力回路を含み得る。ＷＤ  ６１０は、ユーザインターフェース機器６３２の１つまたは複数の入力および出力のインターフェースと、デバイスと、回路とを使用して、エンドユーザおよび／または無線ネットワークと通信し、これらが本明細書で説明された機能性から利益を得ることを可能にし得る。
【００９０】
補機６３４は、ＷＤによって一般に実施され得ない、より特殊な機能性をもたらすように動作可能である。これは、様々な目的で測定するための特化されたセンサ、有線通信などの追加のタイプの通信用インターフェースを備え得る。補機６３４の構成要素の含有およびタイプは、実施形態および／またはシナリオに依拠して異なり得る。
【００９１】
電源６３６は、いくつかの実施形態ではバッテリーまたはバッテリーパックの形態でよい。外部電源（たとえば電気のコンセント）、光起電力デバイス、または動力電池など他のタイプの電源も使用され得る。ＷＤ  ６１０がさらに備える電力回路６３７は、本明細書で説明または指示された何らかの機能性を実行するのに電源６３６からの電力を必要とするＷＤ  ６１０の様々な部品に電源６３６からの電力を配送するためのものである。電力回路６３７は、ある実施形態では電力管理回路を備え得る。電力回路６３７は、それに加えて、またはその代わりに、外部電源から電力を受け取るように動作可能であり、その場合、ＷＤ  ６１０は、入力回路または電力ケーブルなどのインターフェースを介して外部電源（電気のコンセントなど）に接続可能でよい。電力回路６３７は、ある実施形態では、外部電源からの電力を電源６３６に配送するように動作可能であり得る。これは、たとえば電源６３６を充電するためでよい。電力回路６３７は、電力を、供給されるＷＤ  ６１０のそれぞれの構成要素向けに適切なものにするために、電源６３６との間でやり取りする電力に対して、何らかのフォーマッティング、変換、または他の変更を実施してよい。
【００９２】
図７は、本明細書で説明された様々な態様によるＵＥの一実施形態を図示するものである。本明細書で使用されるように、ユーザ機器すなわちＵＥには、必ずしも、関連するデバイスを所有しかつ／または操作する人間のユーザの意味でのユーザが存在するわけではない。代わりに、ＵＥは、人間のユーザへの販売または人間のユーザによる操作を意図されたデバイスを表現し得るが、特定の人間のユーザに関連付けられない、または最初は関連付けられなくてもよい（たとえばスマートなスプリンクラコントローラ）。あるいは、ＵＥは、エンドユーザへの販売またはエンドユーザによる操作を意図されていないデバイスを表現し得るが、ユーザの利益に関連付けられてよく、またはユーザの利益のために運用されてもよい（たとえばスマートな電力計）。ＵＥ  ７００は、ＮＢ−ＩｏＴのＵＥ、ＭＴＣのＵＥ、および／または拡張ＭＴＣ（ｅＭＴＣ）のＵＥを含む、３ＧＰＰによって同定された任意のＵＥでよい。ＵＥ  ７００は、図７に図示されるように、３ＧＰＰのＧＳＭ、ＵＭＴＳ、ＬＴＥなど、３ＧＰＰによって公布された１つまたは複数の通信規格および／または５Ｇ規格による通信用に設定されたＷＤの一例である。前述のように、ＷＤという用語とＵＥという用語は交換可能に使用され得る。それゆえに、図７はＵＥであるが、本明細書で論じられた構成要素はＷＤにも同様に適用可能であり、逆の場合も同じである。
【００９３】
図７において、ＵＥ  ７００が含む処理回路７０１は、入出力インターフェース７０５、ＲＦインターフェース７０９、ネットワーク接続インターフェース７１１、ＲＡＭ  ７１７、ＲＯＭ  ７１９、および記憶媒体７２１を含む記憶装置７１５等、通信サブシステム７３１、電源７１３、ならびに／あるいは任意の他の構成要素、またはそれらの任意の組合せに対して動作可能に結合されている。記憶媒体７２１は、オペレーティングシステム７２３、アプリケーションプログラム７２５、およびデータ７２７を含む。他の実施形態では、記憶媒体７２１は他の類似のタイプの情報を含み得る。あるＵＥは、図７に示された構成要素のすべてを利用してよく、または構成要素のサブセットのみを利用してもよい。構成要素間の集積化のレベルは、ＵＥごとに変化し得るものである。さらに、あるＵＥは、複数のプロセッサ、記憶装置、トランシーバ、送信器、受信器など、構成要素の複数の事例を含み得る。
【００９４】
図７において、処理回路７０１はコンピュータの命令およびデータを処理するように設定され得る。処理回路７０１は、１つまたは複数のハードウェア（たとえば離散ロジック、ＦＰＧＡ、ＡＳＩＣなど）で実施されるステートマシン、適切なファームウェアを加えたプログラマブルロジック、１つまたは複数の記憶されたプログラム、適切なソフトウェアを加えたマイクロプロセッサまたはＤＳＰなどの汎用プロセッサ、または上記のものの任意の組合せなど、記憶装置の中に機械可読コンピュータプログラムとして記憶されたマシン命令を実行するように機能する任意の逐次ステートマシンを実施するように設定されてよい。たとえば、処理回路７０１は２つのＣＰＵを含み得る。データは、コンピュータが使用するのに適した形式の情報でよい。
【００９５】
表された実施形態では、入出力インターフェース７０５は、入力デバイス、出力デバイス、または入出力デバイスに通信インターフェースをもたらすように設定され得る。ＵＥ  ７００は、入出力インターフェース７０５を介して出力デバイスを使用するように設定され得る。出力デバイスは、入力デバイスと同一のタイプのインターフェースポートを使用し得る。たとえば、ＵＳＢポートは、ＵＥ  ７００に対して入力および出力を供給するように使用され得る。出力デバイスは、スピーカ、サウンドカード、ビデオカード、表示器、モニタ、プリンタ、アクチュエータ、発光体、スマートカード、別の出力デバイス、またはそれらの任意の組合せでよい。ＵＥ  ７００は、ユーザがＵＥ  ７００に情報を取り込むことを可能にする入出力インターフェース７０５を介して入力デバイスを使用するように設定されてよい。入力デバイスは、タッチ感応または存在感応の表示器、カメラ（たとえばデジタルカメラ、デジタルビデオカメラ、ウェブカメラなど）、マイクロフォン、センサ、マウス、トラックボール、指向性パッド、トラックパッド、スクロールホイール、スマートカードなどを含み得る。存在感応表示器は、ユーザから入力を感知するための容量性タッチセンサまたは抵抗性タッチセンサを含み得る。センサは、たとえば加速度計、ジャイロスコープ、傾斜センサ、力センサ、磁力計、光センサ、近接センサ、別の類似のセンサ、またはそれらの任意の組合せでよい。たとえば、入力デバイスは、加速度計、磁力計、デジタルカメラ、マイクロフォン、および光センサでよい。
【００９６】
図７において、ＲＦインターフェース７０９は、送信器、受信器、およびアンテナなどのＲＦ構成要素に通信インターフェースをもたらすように設定され得る。ネットワーク接続インターフェース７１１は、ネットワーク７４３Ａに通信インターフェースをもたらすように設定され得る。ネットワーク７４３Ａは、ＬＡＮ、ＷＡＮ、コンピュータネットワーク、無線ネットワーク、遠隔通信ネットワーク、別の類似のネットワーク、またはそれらの任意の組合せなど、有線および／または無線のネットワークを包含し得る。たとえば、ネットワーク７４３ＡはＷｉ−Ｆｉネットワークを備え得る。ネットワーク接続インターフェース７１１は、イーサネット、送信制御プロトコル（ＴＣＰ）／ＩＰ、同期型光ネットワーキング（ＳＯＮＥＴ）、非同期転送モード（ＡＴＭ）等、１つまたは複数の通信プロトコルによる通信ネットワークを通じて１つまたは複数の他のデバイスと通信するのに使用される、受信器および送信器のインターフェースを含むように設定され得る。ネットワーク接続インターフェース７１１は、通信ネットワークリンク（たとえば光リンク、電気リンクなど）に適切な受信器および送信器の機能性を実施し得る。送信器の機能と受信器の機能は、回路部品、ソフトウェアまたはファームウェアを共有してよく、あるいは別個に実施されてもよい。
【００９７】
ＲＡＭ  ７１７は、オペレーティングシステム、アプリケーションプログラム、およびデバイスドライバなどのソフトウエアプログラムの実行中に、処理回路７０１に、データまたはコンピュータ命令の記憶またはキャッシュをもたらすために、バス７０２を介してインターフェースをとるように設定され得る。ＲＯＭ  ７１９は、処理回路７０１にコンピュータ命令またはデータを供給するように設定され得る。たとえば、ＲＯＭ  ７１９は、不変の低水準のシステムコード、または基本的な入出力（Ｉ／Ｏ）、スタートアップ、もしくはキーボードからのキーストロークの受取りなど、不揮発性メモリに記憶される基本的なシステム機能のためのデータを記憶するように設定され得る。記憶媒体７２１は、ＲＡＭ、ＲＯＭ、プログラマブルＲＯＭ（ＰＲＯＭ）、消去可能ＰＲＯＭ（ＥＰＲＯＭ）、電気的ＥＰＲＯＭ（ＥＥＰＲＯＭ）、磁気ディスク、光ディスク、フロッピーディスク、ハードディスク、取外し可能カートリッジ、またはフラッシュドライブなどの記憶装置を含むように設定され得る。一例では、記憶媒体７２１は、オペレーティングシステム７２３と、ウェブブラウザアプリケーション、ウィジェットエンジンもしくはガジェットエンジン、または別のアプリケーションなどのアプリケーションプログラム７２５と、データファイル７２７とを含むように設定され得る。記憶媒体７２１は、ＵＥ  ７００が使用する多種多様なオペレーティングシステムまたはオペレーティングシステムの組合せのうちの任意のものを記憶し得る。
【００９８】
記憶媒体７２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、ブルーレイ光ディスクドライブ、ホログラフィックデジタルデータ記憶（ＨＤＤＳ）光ディスクドライブ、外部ミニデュアルインラインメモリモジュール（ＤＩＭＭ）、同期型ダイナミックＲＡＭ（ＳＤＲＡＭ）、外部マイクロＤＩＭＭのＳＤＲＡＭ、加入者識別モジュール（ＳＩＭ）または取外し可能ユーザ識別（ＲＵＩＭ）モジュールなどのスマートカードメモリ、他の記憶装置、またはそれらの任意の組合せなど、複数の物理ドライブユニットを含むように設定され得る。記憶媒体７２１により、ＵＥ  ７００は、一時的記憶媒体または非一時的記憶媒体に記憶されたコンピュータ実行可能命令、アプリケーションプログラムなどにアクセスしてデータをオフロードする、またはアップロードすることが可能になり得る。通信システムを利用するものなどの製品は、デバイス可読媒体を備え得る記憶媒体７２１において実体的に具現されてよい。
【００９９】
図７において、処理回路７０１は、通信サブシステム７３１を使用してネットワーク７４３Ｂと通信するように設定されてよい。ネットワーク７４３Ａとネットワーク７４３Ｂは、同一のネットワーク（複数可）または異なるネットワーク（複数可）であり得る。通信サブシステム７３１は、ネットワーク７４３Ｂと通信するために使用される１つまたは複数のトランシーバを含むように設定されてよい。たとえば、通信サブシステム７３１は、ＩＥＥＥ  ８０２．７、符号分割多元接続（ＣＤＭＡ）、ＷＣＤＭＡ、ＧＳＭ、ＬＴＥ、汎用地上波ＲＡＮ（ＵＴＲＡＮ）、ＷｉＭａｘ等、１つまたは複数の通信プロトコルによって無線アクセスネットワーク（ＲＡＮ）の別のＷＤ、ＵＥ、または基地局などの無線通信が可能な別のデバイスの１つまたは複数の遠隔のトランシーバと通信するのに使用される１つまたは複数のトランシーバを含むように設定されてよい。各トランシーバが、ＲＡＮリンク（たとえば周波数割り当てなど）に適した送信器の機能性を実施するための送信器７３３および／または受信器の機能性を実施するための受信器７３５を含み得る。さらに、各トランシーバの送信器７３３と受信器７３５は、回路部品、ソフトウェアまたはファームウェアを共有してよく、あるいは別個に実施されてもよい。
【０１００】
図示の実施形態において、通信サブシステム７３１の通信機能は、データ通信、音声通信、マルチメディア通信、ブルートゥースなどの短距離通信、ニアフィールド通信、所在を判定するための全地球測位システム（ＧＰＳ）の使用などロケーションベースの通信、別の類似の通信機能、またはそれらの任意の組合せを含み得る。たとえば、通信サブシステム７３１は、セルラー通信、Ｗｉ−Ｆｉ通信、ブルートゥース通信、およびＧＰＳ通信を含み得る。ネットワーク７４３Ｂは、ＬＡＮ、ＷＡＮ、コンピュータネットワーク、無線ネットワーク、遠隔通信ネットワーク、別の類似のネットワーク、またはそれらの任意の組合せなど、有線および／または無線のネットワークを包含し得る。たとえば、ネットワーク７４３Ｂは、セルラーネットワーク、Ｗｉ−Ｆｉネットワーク、および／またはニアフィールドネットワークでよい。電源７１３は、ＵＥ  ７００の構成要素に交流（ＡＣ）または直流（ＤＣ）の電力を供給するように設定され得る。
【０１０１】
本明細書で説明された特徴、利点、および／または機能は、ＵＥ  ７００の構成要素のうちの１つで実施されてよく、またはＵＥ  ７００の複数の構成要素にわたって分割されてもよい。さらに、本明細書で説明された特徴、利点、および／または機能は、ハードウェア、ソフトウェアまたはファームウェアの任意の組合せで実施され得る。一例では、通信サブシステム７３１は、本明細書で説明された構成要素のうちの任意のものを含むように設定され得る。さらに、処理回路７０１は、バス７０２を通じてそのような構成要素のうちの任意のものと通信するように設定され得る。別の例では、そのような構成要素のいかなるものも記憶装置に記憶されたプログラム命令によって表現され得、処理回路７０１によって実行されたとき、本明細書で説明された対応する機能を実施する。別の例では、そのような構成要素のいかなるものの機能性も処理回路７０１と通信サブシステム７３１の間で分割され得る。別の例では、そのような構成要素のいかなるものの非計算集約的機能もソフトウェアまたはファームウェアで実施され得、計算集約的機能はハードウェアで実施され得る。
【０１０２】
図８は、いくつかの実施形態によって実施される機能が仮想化され得る仮想化環境８００を図示する概略ブロック図である。現在の状況では、仮想化は、装置またはデバイスの仮想バージョンを生成することを意味し、ハードウェアプラットフォーム、記憶デバイス、およびネットワーキングリソースを仮想化することを含み得る。本明細書で使用されるように、仮想化は、ノード（たとえば仮想化された基地局または仮想化された無線アクセスノード）、またはデバイス（たとえばＵＥ、ＷＤ、または任意の他のタイプの通信デバイス）またはそれらの構成要素に適用され得、機能性のうちの少なくとも一部分が（たとえば１つまたは複数のネットワークにおける１つまたは複数の物理処理ノード上で実行する、１つまたは複数のアプリケーション、コンポーネント、機能、仮想マシンまたは仮想コンテナによって）１つまたは複数の仮想構成要素として実施される実装形態に関するものである。
【０１０３】
いくつかの実施形態では、本明細書で説明された機能のうちのいくつかまたはすべてが、ハードウェアノード８３０のうちの１つまたは複数によってホスティングされた１つまたは複数の仮想環境８００において実施される１つまたは複数の仮想マシンによって実行される仮想構成要素として実施され得る。さらに、仮想ノードが無線アクセスノードではない、または無線接続性を必要としない（たとえばコアネットワークノードである）実施形態では、ネットワークノードは完全に仮想化され得る。
【０１０４】
各機能は、本明細書で開示された実施形態のいくつかの特徴、機能、および／または利点のうちのいくつかを実施するように機能する１つまたは複数のアプリケーション８２０（あるいはソフトウェアインスタンス、仮想機器、ネットワーク機能、仮想ノード、仮想ネットワーク機能などと称され得る）によって実施され得る。アプリケーション８２０は、処理回路８６０および記憶装置８９０を備えるハードウェア８３０をもたらす仮想化環境８００において実行される。記憶装置８９０が含んでいる命令８９５は処理回路８６０によって実行され得、それによって、アプリケーション８２０は、本明細書で開示された特徴、利点、および／または機能のうちの１つまたは複数をもたらすように機能する。
【０１０５】
仮想化環境８００は、民生品の（ＣＯＴＳ）プロセッサ、専用ＡＳＩＣ、またはデジタルもしくはアナログのハードウェア構成要素もしくは専用プロセッサを含む何らかの他のタイプの処理回路であり得る、１つまたは複数のプロセッサまたは処理回路８６０のセットを備える汎用または専用のネットワークハードウェアデバイス８３０を備える。各ハードウェアデバイス８３０が備え得る記憶装置８９０−１は、処理回路８６０によって実行される命令８９５またはソフトウェアを一時的に記憶するための非持続的記憶装置でよい。各ハードウェアデバイス８３０が備え得る１つまたは複数のネットワークインターフェースコントローラ（ＮＩＣ）８７０は、ネットワークインターフェースカードとしても知られており、物理ネットワークインターフェース８８０を含む。各ハードウェアデバイス８３０は、処理回路８６０によって実行可能なソフトウェア８９５および／または命令を記憶している非一時的かつ持続的な機械可読記憶媒体８９０−２も含み得る。ソフトウェア８９５は、１つまたは複数の仮想化層８５０のインスタンスを作成するためのソフトウェア（ハイパーバイザとも称される）、仮想マシン８４０を実行するためのソフトウェア、ならびに仮想マシン８４０が本明細書で説明されたいくつかの実施形態に関連して説明された機能、特徴、および／または利点を実行することを可能にするソフトウェアを含む任意のタイプのソフトウェアを含み得る。
【０１０６】
仮想マシン８４０は、仮想処理、仮想記憶、仮想ネットワーキングまたはインターフェース、および仮想記憶機構を備え、対応する仮想化層８５０すなわちハイパーバイザによって実行され得る。仮想機器８２０のインスタンスの異なる実施形態が、仮想マシン８４０のうちの１つまたは複数で実施され得、実装形態は異なるやり方で作製され得る。
【０１０７】
処理回路８６０は、動作中にソフトウェア８９５を実行して、仮想コンピュータモニタ（ＶＭＭ）と称されることもあるハイパーバイザすなわち仮想化層８５０のインスタンスを作成する。仮想化層８５０は、仮想マシン８４０に対するネットワーキングハードウェアのように見える仮想動作プラットフォームを提示してよい。
【０１０８】
図８に示されるように、ハードウェア８３０は一般的な構成要素または特定の構成要素を伴うスタンドアロンのネットワークノードでよい。ハードウェア８３０はアンテナ８２２５を備えてよく、仮想化によっていくつかの機能を実施し得る。あるいは、ハードウェア８３０は、多くのハードウェアノードが連携し、とりわけアプリケーション８２０のライフサイクル管理を監視する管理および編成（ＭＡＮＯ）８１００によって管理される、より大きなハードウェアのクラスタの一部分（たとえばデータセンタまたはＣＰＥ）におけるものなどでよい。
【０１０９】
ハードウェアの仮想化は、いくつかの状況では、ネットワーク機能の仮想化（ＮＦＶ）と称される。ＮＦＶは、業界標準の多くのネットワーク機器のタイプを、データセンタおよびＣＰＥに配置され得る大容量のサーバハードウェア、物理スイッチ、および物理的記憶機構に統合するために使用され得る。
【０１１０】
ＮＦＶの状況では、仮想マシン８４０は、あたかも有形で仮想化されていないマシン上で実行しているかのようにプログラムを実行する、物理マシンのソフトウェア実装形態であり得る。仮想マシン８４０、および仮想マシン８４０の専用ハードウェアであろうと、仮想マシン８４０のうち他のものと共有されるハードウェアであろうとハードウェア８３０のうちの仮想マシン８４０を実行する部分の各々が、別個の仮想ネットワーク要素（ＶＮＥ）を形成する。
【０１１１】
依然としてＮＦＶの状況において、仮想ネットワーク機能（ＶＮＦ）がハンドリングを担う特定のネットワーク機能は、ハードウェアネットワーキングインフラストラクチュア８３０の最上部における１つまたは複数の仮想マシン８４０で実行され、図８のアプリケーション８２０に対応するものである。
【０１１２】
いくつかの実施形態では、１つまたは複数の無線ユニット８２００は、それぞれが１つまたは複数の送信器８２２０および１つまたは複数の受信器８２１０を含み、１つまたは複数のアンテナ８２２５に結合され得る。無線ユニット８２００は、１つまたは複数の適切なネットワークインターフェースを通じてハードウェアノード８３０と直接通信してよく、仮想構成要素と組み合わせて使用され得て、無線アクセスノードまたは基地局など無線能力を伴う仮想ノードをもたらす。
【０１１３】
いくつかの実施形態では、いくつかのシグナリングは、ハードウェアノード８３０と無線ユニット８２００の間の通信用に代替として使用され得る制御システム８２３０の使用の影響を受ける可能性がある。
【０１１４】
図９は、本明細書で説明された実施形態の少なくともいくつかの態様によるＷＤ（たとえばＵＥ）の動作を図示する流れ図である。図示のように、ＷＤは、第１のＤＣＩフォーマット（たとえば、ＵＲＬＬＣなどの新規のＤＣＩフォーマット）と第２のＤＣＩフォーマット（たとえば、ＤＣＩフォーマット０−０または１−０などのフォールバックＤＣＩフォーマット）との間のＤＣＩフォーマットサイズ調整をもたらすように動作する。このように動作するために、ＷＤは、第１のＤＣＩフォーマットに対する周波数領域リソース割り当てを解釈するための１つまたは複数のＲＢＧパラメータを決定する（ステップ９００）。上記で論じられたように、１つまたは複数のＲＢＧパラメータは、（ａ）１つまたは複数のＲＢＧ換算係数（Ｍおよび／またはＮ）、あるいは（ｂ）１つまたは複数のＲＢＧサイズのいずれかである。上記で論じられたように、１つまたは複数のＲＢＧパラメータは、第１のＤＣＩフォーマットのサイズを第２のＤＣＩフォーマットのサイズと合致させるために、周波数領域リソース割り当てを規定するのに必要なビット数を調節するように、第１のＤＣＩフォーマットに対する周波数領域リソース割り当ての粒度を調節する。ＷＤは、第１のＤＣＩフォーマットを有するＤＣＩを受信し（ステップ９０２）、１つまたは複数のＲＢＧパラメータに従ってＤＣＩの周波数領域リソース割り当てを解釈する（ステップ９０４）。
【０１１５】
上記で論じられたように、いくつかの実施形態では、周波数領域リソース割り当てを除外したとき、第１のＤＣＩフォーマットのビットサイズが、第２のＤＣＩフォーマットと比較してＬ−Ｋビット増加し、Ｋは、第１のＤＣＩフォーマットにおいて減少されたかまたは除外されたビットである、第２のＤＣＩフォーマットにおける１つまたは複数のフィールドに含まれるビット数に対応する、ビット減少値であり、Ｌは、第２のＤＣＩフォーマットと比較して第１のＤＣＩフォーマットに付加された、第１のＤＣＩフォーマットにおける１つまたは複数のフィールドに含まれるビット数に対応するビット増加値である。いくつかの実施形態では、第１のＤＣＩフォーマットに対する周波数領域リソース割り当てを規定するために必要なビット数が、第２のＤＣＩフォーマットに対する周波数領域リソース割り当てを規定するために必要なビット数と比較してＬ−Ｋビット以上の分だけ減少するように、１つまたは複数のＲＢＧパラメータが第１のＤＣＩフォーマットに対する周波数領域リソース割り当ての粒度を調節する。
【０１１６】
上記で論じられたように、いくつかの実施形態では、ＤＣＩの周波数領域リソース割り当てを解釈するとき、ＷＤは、対応するＢＷＰの周波数領域サイズとともに１つまたは複数のＲＢＧパラメータに従ってＤＣＩの周波数領域リソース割り当てを解釈する。上記で論じられたように、いくつかの実施形態では、対応するＢＷＰは、無線デバイスの、対応する初期のＢＷＰまたは対応する有効なＢＷＰのいずれかである。
【０１１７】
上記で論じられたように、いくつかの実施形態では、１つまたは複数のＲＢＧパラメータは第１のＲＢＧパラメータを含み、第１のＲＢＧパラメータは、（ａ）周波数領域リソース割り当ての開始位置に関連した第１の換算係数（Ｍ）または（ｂ）周波数領域リソース割り当ての開始位置に関連した第１のＲＢＧサイズのいずれかである。さらに、上記で論じられたように、いくつかの実施形態では、ＤＣＩの周波数領域リソース割り当てを解釈することは、第１のＲＢＧパラメータに基づいて周波数領域リソース割り当ての開始位置を決定することを含む。さらに、上記で論じられたように、いくつかの実施形態では、第１のＲＢＧパラメータに基づいて周波数領域リソース割り当ての開始位置を決定することは、第１のＲＢＧのユニットにおける周波数領域リソース割り当ての開始位置を決定することを含み、第１のＲＢＧのサイズは、（ａ）ＭのＰＲＢまたは（ｂ）第１のＲＢＧサイズのいずれかである。上記で論じられたように、いくつかの実施形態では、１つまたは複数のＲＢＧパラメータは第２のＲＢＧパラメータを含み、第２のＲＢＧパラメータは、（ａ）周波数領域リソース割り当ての長さに関連した第２の換算係数（Ｎ）または（ｂ）周波数領域リソース割り当ての長さに関連した第２のＲＢＧサイズのいずれかである。上記で論じられたように、いくつかの実施形態では、ＤＣＩの周波数領域リソース割り当てを解釈することは、第２のＲＢＧパラメータに基づいて周波数領域リソース割り当ての長さを決定することを含む。上記で論じられたように、いくつかの実施形態では、第２のＲＢＧパラメータに基づいて周波数領域リソース割り当ての長さを決定することは、第２のＲＢＧのユニットにおける周波数領域リソース割り当ての長さを決定することを含み、第２のＲＢＧのサイズは、（ａ）ＮのＰＲＢまたは（ｂ）第２のＲＢＧサイズのいずれかである。上記で論じられたように、いくつかの実施形態では、周波数領域リソース割り当てがもたらすＲＩＶは、第１のＲＢＧパラメータおよび第２のＲＢＧパラメータに基づいて、それぞれ周波数領域リソース割り当ての開始位置および長さにマッピングされる。上記で論じられたように、いくつかの実施形態では、第１の換算係数（Ｍ）は第２の換算係数（Ｎ）と等しく、ＲＩＶを表すために必要なビット数は
2021523639.tif 000034
であり、ここで、
2021523639.tif 000035
は対応するＢＷＰにおけるＰＲＢの数である。上記で論じられたように、いくつかの実施形態では、第１のＲＢＧパラメータと第２のＲＢＧパラメータは別個のパラメータである。上記で論じられたように、いくつかの実施形態では、第１のＲＢＧパラメータと第２のＲＢＧパラメータは、（ａ）等しいパラメータまたは（ｂ）同一のパラメータのいずれかである。上記で論じられたように、いくつかの実施形態では、第１のＲＢＧパラメータと第２のＲＢＧパラメータは
2021523639.tif 000036
と等しい値を有し、周波数領域リソース割り当てを除外したとき、Ｋは、第１のＤＣＩフォーマットにおいて減少されたかまたは除外されたビットである、第２のＤＣＩフォーマットにおける１つまたは複数のフィールドに含まれるビット数に対応する、ビット減少値であり、Ｌは、第２のＤＣＩフォーマットと比較して第１のＤＣＩフォーマットに付加された、第１のＤＣＩフォーマットにおける１つまたは複数のフィールドに含まれるビット数に対応するビット増加値である。
【０１１８】
上記で論じられたように、いくつかの実施形態では、ＤＣＩは、ＤＣＩサイズ調整のための１つまたは複数のパディングビットを含む。
【０１１９】
上記で論じられたように、いくつかの実施形態では、１つまたは複数のＲＢＧパラメータを決定することは、無線デバイスにおいて１つまたは複数のＲＢＧパラメータを決定することを含む。
【０１２０】
上記で論じられたように、いくつかの実施形態では、無線デバイスにおいて１つまたは複数のＲＢＧパラメータを決定することは、無線デバイスにおいて１つまたは複数のＲＢＧパラメータを動的に決定することを含む。
【０１２１】
上記で論じられたように、いくつかの実施形態では、１つまたは複数のＲＢＧパラメータを決定することは、基地局から、１つまたは複数のＲＢＧパラメータを設定する情報を受信することを含む。上記で論じられたように、いくつかの実施形態では、１つまたは複数のＲＢＧパラメータを設定する情報を受信することは、準静的設定（ｓｅｍｉ−ｓｔａｔｉｃ  ｃｏｎｆｉｇｕｒａｔｉｏｎ）によって情報を受信することを含む。
【０１２２】
図１０は、本明細書で説明された実施形態の少なくともいくつかの態様によるネットワークノード（たとえば基地局）の動作を図示する流れ図である。図示のように、ネットワークノードは、第１のＤＣＩフォーマット（たとえば、ＵＲＬＬＣなどの新規のＤＣＩフォーマット）と第２のＤＣＩフォーマット（たとえば、ＤＣＩフォーマット０−０または１−０などのフォールバックＤＣＩフォーマット）との間のＤＣＩフォーマットサイズ調整をもたらすように動作する。このように動作するために、ネットワークノードは、第１のＤＣＩフォーマットに対する周波数領域リソース割り当てを解釈するための１つまたは複数のＲＢＧパラメータを決定する（ステップ１０００）。上記で論じられたように、１つまたは複数のＲＢＧパラメータは、（ａ）１つまたは複数のＲＢＧ換算係数（Ｍおよび／またはＮ）あるいは（ｂ）１つまたは複数のＲＢＧサイズのいずれかである。上記で論じられたように、１つまたは複数のＲＢＧパラメータは、第１のＤＣＩフォーマットのサイズを第２のＤＣＩフォーマットのサイズと合致させるために、周波数領域リソース割り当てを規定するのに必要なビット数を調節するように、第１のＤＣＩフォーマットに対する周波数領域リソース割り当ての粒度を調節する。ネットワークは、１つまたは複数のＲＢＧパラメータに応じた周波数領域リソース割り当てを含み、第１のＤＣＩフォーマットを有する、ＤＣＩを生成する（ステップ１００２）。ネットワークノードは、無線デバイスにＤＣＩを送信する（ステップ１００４）。
【０１２３】
上記で論じられたように、いくつかの実施形態では、周波数領域リソース割り当てを除外したとき、第１のＤＣＩフォーマットのビットサイズが、第２のＤＣＩフォーマットと比較してＬ−Ｋビット増加し、Ｋは、第１のＤＣＩフォーマットにおいて減少されたかまたは除外されたビットである、第２のＤＣＩフォーマットにおける１つまたは複数のフィールドに含まれるビット数に対応する、ビット減少値であり、Ｌは、第２のＤＣＩフォーマットと比較して第１のＤＣＩフォーマットに付加された、第１のＤＣＩフォーマットにおける１つまたは複数のフィールドに含まれるビット数に対応するビット増加値である。第１のＤＣＩフォーマットに対する周波数領域リソース割り当てを規定するために必要なビット数が、第２のＤＣＩフォーマットに対する周波数領域リソース割り当てを規定するために必要なビット数と比較してＬ−Ｋビット以上の分だけ減少するように、１つまたは複数のＲＢＧパラメータが、第１のＤＣＩフォーマットに対する周波数領域リソース割り当ての粒度を調節する。
【０１２４】
上記で論じられたように、いくつかの実施形態では、対応するＢＷＰの周波数領域サイズとともに１つまたは複数のＲＢＧパラメータに応じたＤＣＩの周波数領域リソース割り当てがもたらされる。上記で論じられたように、いくつかの実施形態では、対応するＢＷＰは、無線デバイスの、対応する初期のＢＷＰまたは対応する有効なＢＷＰのいずれかである。
【０１２５】
上記で論じられたように、いくつかの実施形態では、１つまたは複数のＲＢＧパラメータは第１のＲＢＧパラメータを含み、第１のＲＢＧパラメータは、（ａ）周波数領域リソース割り当ての開始位置に関連した第１の換算係数（Ｍ）または（ｂ）周波数領域リソース割り当ての開始位置に関連した第１のＲＢＧサイズのいずれかである。周波数領域リソース割り当ての開始位置は第１のＲＢＧパラメータに基づくものである。上記で論じられたように、いくつかの実施形態では、周波数領域リソース割り当ての開始位置は第１のＲＢＧのユニットにおいてもたらされ、第１のＲＢＧのサイズは（ａ）ＭのＰＲＢまたは（ｂ）第１のＲＢＧサイズのいずれかである。上記で論じられたように、いくつかの実施形態では、１つまたは複数のＲＢＧパラメータは第２のＲＢＧパラメータを含み、第２のＲＢＧパラメータは、（ａ）周波数領域リソース割り当ての長さに関連した第２の換算係数（Ｎ）または（ｂ）周波数領域リソース割り当ての長さに関連した第２のＲＢＧサイズのいずれかである。周波数領域リソース割り当ての長さは第２のＲＢＧパラメータに基づくものである。上記で論じられたように、いくつかの実施形態では、周波数領域リソース割り当ての長さは第２のＲＢＧのユニットにおいてもたらされ、第２のＲＢＧのサイズは（ａ）ＮのＰＲＢまたは（ｂ）第２のＲＢＧサイズのいずれかである。上記で論じられたように、いくつかの実施形態では、周波数領域リソース割り当てがもたらすＲＩＶは、第１のＲＢＧパラメータおよび第２のＲＢＧパラメータに基づいて、それぞれ周波数領域リソース割り当ての開始位置および長さにマッピングされる。上記で論じられたように、いくつかの実施形態では、第１の換算係数（Ｍ）は第２の換算係数（Ｎ）と等しく、ＲＩＶを表すために必要なビット数は
2021523639.tif 000037
であり、ここで、
2021523639.tif 000038
は対応するＢＷＰにおけるＰＲＢの数である。上記で論じられたように、いくつかの実施形態では、第１のＲＢＧパラメータと第２のＲＢＧパラメータは別個のパラメータである。上記で論じられたように、いくつかの実施形態では、第１のＲＢＧパラメータと第２のＲＢＧパラメータは、（ａ）等しいパラメータまたは（ｂ）同一のパラメータのいずれかである。上記で論じられたように、いくつかの実施形態では、第１のＲＢＧパラメータと第２のＲＢＧパラメータは
2021523639.tif 000039
と等しい値を有し、周波数領域リソース割り当てを除外したとき、Ｋは、第１のＤＣＩフォーマットにおいて減少されたかまたは除外されたビットである、第２のＤＣＩフォーマットにおける１つまたは複数のフィールドに含まれるビット数に対応する、ビット減少値であり、Ｌは、第２のＤＣＩフォーマットと比較して第１のＤＣＩフォーマットに付加された、第１のＤＣＩフォーマットにおける１つまたは複数のフィールドに含まれるビット数に対応するビット増加値である。
【０１２６】
上記で論じられたように、いくつかの実施形態では、ＤＣＩは、ＤＣＩサイズ調整のための１つまたは複数のパディングビットを含む。
【０１２７】
上記で論じられたように、いくつかの実施形態では、１つまたは複数のＲＢＧパラメータを決定することは、基地局において１つまたは複数のＲＢＧパラメータを決定することを含む。上記で論じられたように、いくつかの実施形態では、基地局において１つまたは複数のＲＢＧパラメータを決定することは、基地局において１つまたは複数のＲＢＧパラメータを動的に決定することを含む。
【０１２８】
図１１を参照して、一実施形態によれば、通信システムが含む３ＧＰＰタイプセルラーネットワークなどの遠隔通信ネットワーク１１１０は、ＲＡＮなどのアクセスネットワーク１１１１と、コアネットワーク１１１４とを備える。アクセスネットワーク１１１１は、ノードＢ、ｅＮＢ、ｇＮＢなどの複数の基地局１１１２Ａ、１１１２Ｂ、１１１２Ｃ、またはそれぞれ対応するカバレッジエリア１１１３Ａ、１１１３Ｂ、１１１３Ｃを規定する他のタイプの無線ＡＰを備える。各基地局１１１２Ａ、１１１２Ｂ、１１１２Ｃは、有線または無線の接続１１１５を通じてコアネットワーク１１１４に接続可能である。カバレッジエリア１１１３Ｃに配置された第１のＵＥ  １１９１は、対応する基地局１１１２Ｃに無線で接続するかまたは基地局１１１２Ｃによってページングされるように設定されている。カバレッジエリア１１１３Ａにおける第２のＵＥ  １１９２は、対応する基地局１１１２Ａに無線で接続可能である。この例では複数のＵＥ  １１９１、１１９２が図示されているが、開示された実施形態は、単独のＵＥがカバレッジエリアにある状況、または単独のＵＥが対応する基地局１１１２に接続している状況にも同様に適用可能である。
【０１２９】
遠隔通信ネットワーク１１１０自体が接続されているホストコンピュータ１１３０は、スタンドアロンのサーバのハードウェアおよび／またはソフトウェア、クラウドで実施されたサーバ、分散型サーバ、またはサーバファームにおける処理リソースで具現され得るものである。ホストコンピュータ１１３０はサービスプロバイダの所有権または制御下にあってよく、あるいはサービスプロバイダによって、またはサービスプロバイダのために運用されてよい。遠隔通信ネットワーク１１１０とホストコンピュータ１１３０の間の接続１１２１および１１２２は、コアネットワーク１１１４からホストコンピュータ１１３０まで直接延在してよく、または任意選択の中間ネットワーク１１２０を介したものでもよい。中間ネットワーク１１２０は、パブリックネットワーク、プライベートネットワーク、またはホスティングされたネットワークのうちの１つ、または２つ以上の組合せでよく、中間ネットワーク１１２０は、存在する場合には、バックボーンネットワークまたはインターネットでよく、詳細には、中間ネットワーク１１２０は、２つ以上のサブネットワーク（図示せず）を備え得る。
【０１３０】
図１１の通信システムは、接続されたＵＥ  １１９１、１１９２とホストコンピュータ１１３０の間の接続性を全体として可能にするものである。接続性はオーバーザトップ（ＯＴＴ）接続１１５０として説明され得る。ホストコンピュータ１１３０と、接続されたＵＥ  １１９１、１１９２とは、アクセスネットワーク１１１１、コアネットワーク１１１４、任意の中間ネットワーク１１２０、および可能なさらなるインフラストラクチュア（図示せず）を仲介物として使用して、ＯＴＴ接続１１５０を介してデータおよび／またはシグナリングを通信するように設定されている。ＯＴＴ接続１１５０は、ＯＴＴ接続１１５０を通す、関与している通信デバイスが、アップリンクおよびダウンリンクの通信のルーティングを認識しないという意味でトランスペアレントであり得る。たとえば、基地局１１１２は、ホストコンピュータ１１３０を起源とする、接続されているＵＥ  １１９１に転送される（たとえばハンドオーバされる）べきデータを伴う着信ダウンリンク通信の過去のルーティングについて、通知されなくてよく、通知される必要もない。同様に、基地局１１１２は、ＵＥ  １１９１を起源とする、ホストコンピュータ１１３０に向けた発信アップリンク通信の将来のルーティングを認識する必要はない。
【０１３１】
次に、前節で論じられたＵＥ、基地局、およびホストコンピュータの、一実施形態による例示の実装形態を、図１２を参照しながら説明する。通信システム１２００において、ホストコンピュータ１２１０が備えるハードウェア１２１５に含まれる通信インターフェース１２１６は、通信システム１２００の異なる通信デバイスのインターフェースに対する有線または無線の接続をセットアップして維持するように設定されている。ホストコンピュータ１２１０がさらに備える処理回路１２１８は、記憶機構および／または処理能力を有し得る。詳細には、処理回路１２１８は、命令を実行するように適合された１つまたは複数のプログラマブルプロセッサ、ＡＳＩＣ、ＦＰＧＡまたはこれらの組合せ（図示せず）を備え得る。ホストコンピュータ１２１０がさらに含むソフトウェア１２１１は、ホストコンピュータ１２１０に記憶されているか、またはホストコンピュータ１２１０によるアクセスが可能であり、処理回路１２１８によって実行可能である。ソフトウェア１２１１はホストアプリケーション１２１２を含む。ホストアプリケーション１２１２は、ＵＥ  １２３０およびホストコンピュータ１２１０において終結するＯＴＴ接続１２５０によって接続されているＵＥ  １２３０などの遠隔ユーザにサービスを提供するように動作可能であり得る。ホストアプリケーション１２１２は、遠隔ユーザにサービスを提供するとき、ＯＴＴ接続１２５０を使用して送信されるユーザデータを供給してよい。
【０１３２】
通信システム１２００がさらに含む基地局１２２０は、遠隔通信システムに与えられるものであり、ホストコンピュータ１２１０およびＵＥ  １２３０との通信を可能にするハードウェア１２２５を備える。ハードウェア１２２５は、通信システム１２００の異なる通信デバイスのインターフェースに対する有線または無線の接続をセットアップして維持するための通信インターフェース１２２６、ならびに、少なくとも基地局１２２０によってサーブされたカバレッジエリア（図１２には示されていない）内のＵＥ  １２３０に対する無線接続１２７０をセットアップして維持するための無線インターフェース１２２７を含み得る。通信インターフェース１２２６は、ホストコンピュータ１２１０に対する接続１２６０を容易にするように設定されてよい。接続１２６０は直接的でよく、あるいは遠隔通信システムのコアネットワーク（図１２には示されていない）および／または遠隔通信システムの外部の１つまたは複数の中間ネットワークを通過してよい。示された実施形態において、基地局１２２０のハードウェア１２２５がさらに含む処理回路１２２８は、命令を実行するように適合された１つまたは複数のプログラマブルプロセッサ、ＡＳＩＣ、ＦＰＧＡ、またはこれらの組合せ（図示せず）を備え得る。基地局１２２０がさらに有するソフトウェア１２２１は、内部に記憶されているか、または外部接続によってアクセス可能である。
【０１３３】
通信システム１２００は、既に言及されたＵＥ  １２３０をさらに含む。ＵＥ  １２３０のハードウェア１２３５が含み得る無線インターフェース１２３７は、ＵＥ  １２３０が現在配置されているカバレッジエリアにサーブする基地局に対する無線接続１２７０をセットアップして維持するように設定されている。ＵＥ  １２３０のハードウェア１２３５がさらに含む処理回路１２３８は、命令を実行するように適合された１つまたは複数のプログラマブルプロセッサ、ＡＳＩＣ、ＦＰＧＡ、またはこれらの組合せ（図示せず）を備え得る。ＵＥ  １２３０がさらに含むソフトウェア１２３１は、ＵＥ  １２３０に記憶されているか、またはＵＥ  １２３０によるアクセスが可能であり、処理回路１２３８によって実行可能である。ソフトウェア１２３１はクライアントアプリケーション１２３２を含む。クライアントアプリケーション１２３２は、ホストコンピュータ１２１０のサポートを伴って、ＵＥ  １２３０を介して、人間のユーザまたは人間以外のユーザにサービスを提供するように動作可能であり得る。ホストコンピュータ１２１０において実行中のホストアプリケーション１２１２は、ＵＥ  １２３０およびホストコンピュータ１２１０において終結するＯＴＴ接続１２５０を通じて、実行中のクライアントアプリケーション１２３２と通信し得る。ユーザにサービスを提供するとき、クライアントアプリケーション１２３２は、ホストアプリケーション１２１２から要求データを受け取り、要求データに応答してユーザデータを供給してよい。ＯＴＴ接続１２５０は、要求データとユーザデータの両方を転送し得る。クライアントアプリケーション１２３２は、供給するユーザデータを生成するためにユーザと対話してよい。
【０１３４】
図１２のホストコンピュータ１２１０、基地局１２２０、およびＵＥ  １２３０は、それぞれ図１１のホストコンピュータ１１３０、基地局１１１２Ａ、１１１２Ｂ、１１１２Ｃのうちの１つ、およびＵＥ  １１９１、１１９２のうちの１つに類似のものまたは同一のものでよいことが注目される。つまり、これらのエンティティの内部作用は図１２に独立して示されたものでよく、周囲のネットワークトポロジは図１１のものでよい。
【０１３５】
図１２において、ＯＴＴ接続１２５０は、ホストコンピュータ１２１０とＵＥ  １２３０の間の基地局１２２０を介した通信を図示するために抽象的に描かれており、いかなる仲介のデバイスにも、これらのデバイスを介したメッセージの正確なルーティングにも、明示的な参照はない。ネットワークインフラストラクチャはルーティングを決定してよく、ルーティングは、ＵＥ  １２３０もしくはホストコンピュータ１２１０を運用するサービスプロバイダまたは両方から見えないように設定されてよい。ＯＴＴ接続１２５０が有効であるとき、ネットワークインフラストラクチャは、（たとえばネットワークのロードバランシングの配慮または再設定に基づいて）ルーティングの動的変更をさらに裁定してよい。
【０１３６】
ＵＥ  １２３０と基地局１２２０の間の無線接続１２７０は、本開示の全体にわたって説明された実施形態の教示に従うものである。様々な実施形態のうちの１つまたは複数が、無線接続１２７０が最終区分を形成するＯＴＴ接続１２５０を使用して、ＵＥ  １２３０に提供されるＯＴＴサービスの性能を改善する。より正確には、これらの実施形態の教示がレイテンシを改善するとともに誤り率を低下させ得、それによって、ユーザ待ち時間の短縮、ＤＣＩサイズに関する融通性の増大、より優れた応答性、ならびにより効率的なバッテリー動作およびバッテリー寿命の延長などの利益をもたらす。
【０１３７】
１つまたは複数の実施形態を改善するデータレート、レイテンシ、および他の要因を監視するために、測定プロシージャが用意されてよい。測定結果の変動に応答してホストコンピュータ１２１０とＵＥ  １２３０の間のＯＴＴ接続１２５０を再構成するための、任意選択のネットワーク機能がさらに存在し得る。測定プロシージャおよび／またはＯＴＴ接続１２５０を再構成するためのネットワーク機能は、ホストコンピュータ１２１０のソフトウェア１２１１およびハードウェア１２１５、またはＵＥ  １２３０のソフトウェア１２３１およびハードウェア１２３５、あるいは両方で実施されてよい。いくつかの実施形態では、ＯＴＴ接続１２５０が通る通信デバイスの中に、または同デバイスに関連して、センサ（図示せず）が配備されてよく、センサは、上記の例の監視された量の値を供給することにより、あるいはソフトウェア１２１１、１２３１が監視された量を計算するかまたは推定するのに使用される他の物理量の値を供給することにより、測定プロシージャに関与し得る。ＯＴＴ接続１２５０の再構成は、メッセージフォーマット、再送信設定、望ましいルーティングなどを含み得、基地局１２２０に影響を及ぼす必要はなく、基地局１２２０にとって未知のものまたは感知できないものでよい。そのようなプロシージャおよび機能は、当技術において既知の、実施され得るものである。ある実施形態では、測定は、ホストコンピュータ１２１０による、スループット、伝搬時間、レイテンシ等の測定を容易にする、専用のＵＥシグナリングを包含し得る。測定は、ソフトウェア１２１１および１２３１が、伝搬時間、エラーなどを監視しながら、ＯＴＴ接続１２５０を使用してメッセージを送信するとき、詳細には空または「ダミー」のメッセージを送信するとき、実施されてよい。
【０１３８】
図１３は、一実施形態によって通信システムにおいて実施される方法を図示する流れ図である。通信システムは、図１１および図１２を参照しながら説明されたものであり得るホストコンピュータ、基地局、およびＵＥを含む。本開示の簡単さのために、この段落では図１３の参照のみを含むことにする。ステップ１３１０において、ホストコンピュータはユーザデータを供給する。ステップ１３１０のサブステップ１３１１（任意選択でよい）において、ホストコンピュータはホストアプリケーションを実行することによってユーザデータを供給する。ステップ１３２０において、ホストコンピュータは、ＵＥにユーザデータを搬送する送信を開始する。ステップ１３３０（任意選択でよい）において、基地局は、本開示の全体にわたって説明された実施形態の教示に従って、ホストコンピュータが起動した送信で搬送されたユーザデータをＵＥに送信する。ステップ１３４０（これも任意選択でよい）において、ＵＥは、ホストコンピュータによって実行されるホストアプリケーションに関連したクライアントアプリケーションを実行する。
【０１３９】
図１４は、一実施形態によって通信システムにおいて実施される方法を図示する流れ図である。通信システムは、図１１および図１２を参照しながら説明されたものであり得るホストコンピュータ、基地局、およびＵＥを含む。本開示の簡単さのために、この段落では図１４の参照のみを含むことにする。方法のステップ１４１０において、ホストコンピュータはユーザデータを供給する。任意選択のサブステップ（図示せず）において、ホストコンピュータはホストアプリケーションを実行することによってユーザデータを供給する。ステップ１４２０において、ホストコンピュータは、ＵＥにユーザデータを搬送する送信を開始する。送信は、本開示の全体にわたって説明された実施形態の教示に従って、基地局を通されてよい。ステップ１４３０（任意選択でよい）において、ＵＥは、送信で搬送されたユーザデータを受信する。
【０１４０】
図１５は、一実施形態によって通信システムにおいて実施される方法を図示する流れ図である。通信システムは、図１１および図１２を参照しながら説明されたものであり得るホストコンピュータ、基地局、およびＵＥを含む。本開示の簡単さのために、この段落では図１５の参照のみを含むことにする。ステップ１５１０（任意選択でよい）において、ＵＥは、ホストコンピュータによって供給された入力データデータを受信する。それに加えて、またはその代わりに、ステップ１５２０において、ＵＥがユーザデータを供給する。ステップ１５２０のサブステップ１５２１（任意選択でよい）において、ＵＥはクライアントアプリケーションを実行することによってユーザデータを供給する。ステップ１５１０のサブステップ１５１１（任意選択でよい）において、ＵＥは、ホストコンピュータによって供給されて受信された入力データに反応してユーザデータを供給するクライアントアプリケーションを実行する。ユーザデータを供給するとき、実行されるクライアントアプリケーションは、ユーザから受信されたユーザ入力をさらに考慮に入れてよい。ユーザデータが供給された特定のやり方に関係なく、ＵＥは、サブステップ１５３０（任意選択でよい）において、ホストコンピュータへのユーザデータの送信を開始する。この方法のステップ１５４０において、ホストコンピュータは、本開示の全体にわたって説明された実施形態の教示に従って、ＵＥから送信されたユーザデータを受信する。
【０１４１】
図１６は、一実施形態によって通信システムにおいて実施される方法を図示する流れ図である。通信システムは、図１１および図１２を参照しながら説明されたものであり得るホストコンピュータ、基地局、およびＵＥを含む。本開示の簡単さのために、この段落では図１６の参照のみを含むことにする。ステップ１６１０（任意選択でよい）において、基地局は、本開示の全体にわたって説明された実施形態の教示に従って、ＵＥからユーザデータを受信する。ステップ１６２０（任意選択でよい）において、基地局は、受信されたユーザデータのホストコンピュータへの送信を開始する。ステップ１６３０（任意選択でよい）において、ホストコンピュータは、基地局が起動した送信で搬送されたユーザデータを受信する。
【０１４２】
本明細書で開示された任意の適切なステップ、方法、特徴、機能、または利益は、１つまたは複数の仮想装置の１つまたは複数の機能ユニットまたはモジュールによって実施され得る。各仮想装置が、これらの機能ユニットを複数備え得る。これらの機能ユニットは、１つまたは複数のマイクロプロセッサまたはマイクロコントローラ、ならびに、ＤＳＰ、専用デジタルロジックなどを含み得る他のデジタルハードウェアを含み得る処理回路によって実施されてよい。処理回路は、ＲＯＭ、ＲＡＭ、キャッシュメモリ、フラッシュメモリデバイス、光学記憶デバイスなどの１つまたはいくつかのタイプの記憶装置を含み得る記憶装置に記憶されたプログラムコードを実行するように設定されてよい。記憶装置に記憶されたプログラムコードは、１つまたは複数の遠隔通信プロトコルおよび／またはデータ通信プロトコルを実行するためのプログラム命令、ならびに本明細書で説明された技術のうちの１つまたは複数を実行するための命令を含む。いくつかの実装形態では、処理回路は、それぞれの機能ユニットに、本開示の１つまたは複数の実施形態による対応する機能を実施させるように使用され得る。
【０１４３】
図１７は、無線ネットワーク（たとえば図６に示された無線ネットワーク）における装置１７００の概略ブロック図を図示するものである。この装置は、無線デバイスまたはネットワークノード（たとえば図６に示されたＷＤ  ６１０またはネットワークノード６６０）において実施され得る。装置１７００は、本明細書で開示された任意のプロセスまたは方法を実行するように動作可能である。
【０１４４】
ＵＥなどの無線デバイスであり得る仮想装置１７００が備え得る処理回路は、１つまたは複数のマイクロプロセッサまたはマイクロコントローラ、ならびに、ＤＳＰ、専用デジタルロジックなどを含み得る他のデジタルハードウェアを含み得る。処理回路は、ＲＯＭ、ＲＡＭ、キャッシュメモリ、フラッシュメモリデバイス、光学記憶デバイスなどの１つまたはいくつかのタイプの記憶装置を含み得る記憶装置に記憶されたプログラムコードを実行するように設定されてよい。記憶装置に記憶されたプログラムコードは、１つまたは複数の遠隔通信プロトコルおよび／またはデータ通信プロトコルを実行するためのプログラム命令、ならびに、いくつかの実施形態において本明細書で説明された技術のうちの１つまたは複数を実行するための命令を含む。いくつかの実装形態では、処理回路は、装置１７００の任意の適切なユニットに、本開示の１つまたは複数の実施形態による対応する機能を実施させるように使用され得る。
【０１４５】
ユニットという用語は、電子工学、電気デバイス、および／または電子デバイスの分野における従来の意味を有し得、たとえば本明細書で説明されたような電気回路および／または電子回路、デバイス、モジュール、プロセッサ、記憶装置、ソリッドステートおよび／またはディスクリートのロジックデバイス、それぞれのタスク、プロシージャ、計算、出力、および／または表示機能を実行するためのコンピュータプログラムまたは命令、などを含み得る。
【０１４６】
本開示では、以下の短縮形のうちの少なくともいくつかが使用され得る。短縮形の間に不整合がある場合には、上記で使用されている様子を優先させるべきである。以下で複数回列記されている場合には、最初のものが最も望ましい。
・２Ｇ    第２世代
・３Ｇ    第３世代
・３ＧＰＰ    第３世代パートナーシッププロジェクト
・４Ｇ    第４世代
・５Ｇ    第５世代
・ＡＣ    交流
・ＡＰ    アクセスポイント
・ＡＳＩＣ    特定用途向け集積回路
・ＡＴＭ    非同期転送モード
・ＢＳ    基地局
・ＢＳＣ    基地局コントローラ
・ＢＴＳ    ベーストランシーバ基地局
・ＢＷＰ    帯域幅部分
・ＣＤ    コンパクトディスク
・ＣＤＭＡ    符号分割多元接続
・ＣＯＲＥＳＥＴ    制御領域セット
・ＣＯＴＳ    民生品
・ＣＰＥ    顧客構内機器
・ＣＰＵ    中央処理装置
・ＣＲＣ    巡回冗長検査
・Ｃ−ＲＮＴＩ    セル無線ネットワーク一時識別子
・ＣＳＳ    共通検索空間
・Ｄ２Ｄ    デバイス間
・ＤＡＳ    分散型アンテナシステム
・ＤＣ    直流
・ＤＣＩ    ダウンリンク制御情報
・ＤＩＭＭ    デュアルインラインメモリモジュール
・ＤＬ    ダウンリンク
・ＤＳＰ    デジタル信号プロセッサ
・ＤＶＤ    デジタルビデオティスク
・ＥＥＰＲＯＭ    電気的消去可能プログラム可能読取り専用メモリ
・ｅＭＴＣ    拡張マシンタイプ通信
・ｅＮＢ    エボルブドノードＢ
・ＥＰＲＯＭ    消去可能プログラム可能読取り専用メモリ
・Ｅ−ＳＭＬＣ    エボルブドサービングモバイルロケーションセンタ
・ＦＰＧＡ    フィールドプログラマブルゲートアレイ
・ＧＨｚ    ギガヘルツ
・ｇＮＢ    新無線ノードＢ
・ＧＰＳ    全地球測位システム
・ＧＳＭ    モバイル通信用グローバルシステム
・ＨＡＲＱ    ハイブリッド自動再送要求
・ＨＤＤＳ    ホログラフィックデジタルデータ記憶
・ＨＤ−ＤＶＤ    高密度デジタル多用途ディスク
・Ｉ／Ｏ    入出力
・ＩｏＴ    モノのインターネット
・ＩＰ    インターネットプロトコル
・ＬＡＮ    ローカルエリアネットワーク
・ＬＥＥ    ラップトップ組込型機器
・ＬＭＥ    ラップトップ搭載型機器
・ＬＴＥ    Ｌｏｎｇ  Ｔｅｒｍ  Ｅｖｏｌｕｔｉｏｎ
・Ｍ２Ｍ    マシン間
・ＭＣＥ    マルチセル／マルチキャスト協調エンティティ
・ＭＣＳ    変調符号化方式
・ＭＤＴ    運転テストの最小化
・ＭＩＭＯ    多重入出力
・ＭＭＥ    モビリティ管理エンティティ
・ＭＳＣ    移動交換センタ
・ＭＳＲ    マルチスタンダード無線
・ＭＴＣ    マシンタイプ通信
・ＮＢ−ＩｏＴ    狭帯域のモノのインターネット
・ＮＦＶ    ネットワーク機能の仮想化
・ＮＩＣ    ネットワークインターフェースコントローラ
・ＮＲ    新無線
・Ｏ＆Ｍ    運用および保守
・ＯＳＳ    運用支援システム
・ＯＴＴ    オーバーザトップ
・ＰＤＡ    携帯情報端末
・ＰＤＣＣＨ    物理的ダウンリンク制御チャネル
・ＰＤＳＣＨ    物理的ダウンリンク共有チャネル
・ＰＲＢ    物理的リソースブロック
・ＰＲＯＭ    プログラム可能読取り専用メモリ
・ＰＳＴＮ    公衆スイッチ電話ネットワーク
・ＰＵＳＣＨ    物理的アップリンク共有チャネル
・ＲＡ    リソース割り当て
・ＲＡＩＤ    独立ディスクの冗長アレイ
・ＲＡＭ    ランダムアクセスメモリ
・ＲＡＮ    無線アクセスネットワーク
・ＲＡＴ    無線アクセス技術
・ＲＢ    リソースブロック
・ＲＢＧ    リソースブロックグループ
・ＲＦ    無線周波数
・ＲＩＶ    リソース指示値
・ＲＮＣ    無線ネットワークコントローラ
・ＲＯＭ    読取り専用メモリ
・ＲＲＨ    リモート無線ヘッド
・ＲＲＵ    リモートラジオユニット
・ＲＵＩＭ    取外し可能ユーザアイデンティティ
・ＲＶ    冗長バージョン
・ＳＤＲＡＭ    同期型ダイナミックランダムアクセスメモリ
・ＳＩＭ    加入者識別モジュール
・ＳＯＣ    システムオンチップ
・ＳＯＮ    自己組織化ネットワーク
・ＳＯＮＥＴ    同期型光ネットワーキング
・ＴＣＰ    送信制御プロトコル
・ＴＳ    技術仕様
・ＵＥ    ユーザ機器
・ＵＬ    アップリンク
・ＵＭＴＳ    Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
・ＵＲＬＬＣ    超高信頼度の低レイテンシ通信
・ＵＳＢ    ユニバーサルシリアルバス
・ＵＳＳ    ユーザ機器に固有の検索空間
・ＵＴＲＡＮ    汎用地上波無線アクセスネットワーク
・Ｖ２Ｉ    路車間
・Ｖ２Ｖ    車車間
・Ｖ２Ｘ    車車間・路車間
・ＶＭＭ    仮想コンピュータモニタ
・ＶＮＥ    仮想ネットワーク要素
・ＶＮＦ    仮想ネットワーク機能
・ＶｏＩＰ    ボイスオーバインターネットプロトコル
・ＷＡＮ    広域ネットワーク
・ＷＣＤＭＡ    広帯域符号分割多元接続
・ＷＤ    無線デバイス
・ＷｉＭａｘ    ワイマックス
・ＷＬＡＮ    無線ローカルエリアネットワーク
【０１４７】
当業者なら、本開示の実施形態に対する改善および変更形態を明確に理解するであろう。そのような改善および変更形態のすべてが、本明細書で開示した概念の範囲内にあると見なされる。
【図１】
2021523639.tif 000046
【図２】
2021523639.tif 000047
【図３】
2021523639.tif 000048
【図４】
2021523639.tif 000049
【図５】
2021523639.tif 000050
【図６】
2021523639.tif 000051
【図７】
2021523639.tif 000052
【図８】
2021523639.tif 000053
【図９】
2021523639.tif 000054
【図１０】
2021523639.tif 000055
【図１１】
2021523639.tif 000056
【図１２】
2021523639.tif 000057
【図１３】
2021523639.tif 000058
【図１４】
2021523639.tif 000059
【図１５】
2021523639.tif 000060
【図１６】
2021523639.tif 000061
【図１７】
2021523639.tif 000062
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
ダウンリンク制御情報（ＤＣＩ）の第１のＤＣＩフォーマットと第２のＤＣＩフォーマットとの間のフォーマットサイズの調整をもたらすように無線デバイスを動作させる方法であって、
前記第１のＤＣＩフォーマットに対する周波数領域リソース割り当てを解釈するための１つまたは複数のリソースブロックグループ（ＲＢＧ）パラメータを決定すること（９００）であって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズが前記第２のＤＣＩフォーマットのサイズと合致するように、前記周波数領域リソース割り当てを規定するのに必要なビット数を調節するように、前記周波数領域リソース割り当ての粒度を調節する、１つまたは複数のＲＢＧパラメータを決定すること（９００）と、
前記第１のＤＣＩフォーマットを有するＤＣＩを受信すること（９０２）と、
前記１つまたは複数のＲＢＧパラメータに従って前記ＤＣＩの前記周波数領域リソース割り当てを解釈すること（９０４）と
を含む方法。
【請求項２】
前記周波数領域リソース割り当てを除外したとき、前記第１のＤＣＩフォーマットのビットサイズが、前記第２のＤＣＩフォーマットと比較してＬ−Ｋビット増加し、
Ｋは、前記第１のＤＣＩフォーマットにおいて減少されたかまたは除外されたビットである、前記第２のＤＣＩフォーマットにおける１つまたは複数のフィールドに含まれるビット数に対応する、ビット減少値であり、
Ｌは、前記第２のＤＣＩフォーマットと比較して前記第１のＤＣＩフォーマットに付加された、前記第１のＤＣＩフォーマットにおける１つまたは複数のフィールドに含まれるビット数に対応するビット増加値であり、
前記第１のＤＣＩフォーマットに対する前記周波数領域リソース割り当てを規定するために必要な前記ビット数が、前記第２のＤＣＩフォーマットに対する周波数領域リソース割り当てを規定するために必要なビット数と比較してＬ−Ｋビット以上の分だけ減少するように、前記１つまたは複数のＲＢＧパラメータが前記第１のＤＣＩフォーマットに対する前記周波数領域リソース割り当ての前記粒度を調節する、請求項１に記載の方法。
【請求項３】
前記ＤＣＩの前記周波数領域リソース割り当てを解釈することが、対応する帯域幅部分の周波数領域サイズとともに前記１つまたは複数のＲＢＧパラメータに従って前記ＤＣＩの前記周波数領域リソース割り当てを解釈することを含む、請求項１または２に記載の方法。
【請求項４】
前記対応する帯域幅部分が、前記無線デバイスの対応する初期の帯域幅部分または対応する有効な帯域幅部分のいずれかである、請求項３に記載の方法。
【請求項５】
前記１つまたは複数のＲＢＧパラメータが第１のＲＢＧパラメータを含み、前記第１のＲＢＧパラメータが、（ａ）前記周波数領域リソース割り当ての開始位置に関連した第１の換算係数（Ｍ）または（ｂ）前記周波数領域リソース割り当ての前記開始位置に関連した第１のＲＢＧサイズのいずれかであり、
前記ＤＣＩの前記周波数領域リソース割り当てを解釈すること（９０４）が、前記第１のＲＢＧパラメータに基づいて前記周波数領域リソース割り当ての前記開始位置を決定することを含む、請求項１から４のいずれか一項に記載の方法。
【請求項６】
前記第１のＲＢＧパラメータに基づいて前記周波数領域リソース割り当ての前記開始位置を決定することが、第１のＲＢＧのユニットにおいて前記周波数領域リソース割り当ての前記開始位置を決定することを含み、前記第１のＲＢＧのサイズが、（ａ）Ｍの物理的リソースブロック（ＰＲＢ）または（ｂ）前記第１のＲＢＧサイズのいずれかである、請求項５に記載の方法。
【請求項７】
前記１つまたは複数のＲＢＧパラメータが第２のＲＢＧパラメータを含み、前記第２のＲＢＧパラメータが、（ａ）前記周波数領域リソース割り当ての長さに関連した第２の換算係数（Ｎ）または（ｂ）前記周波数領域リソース割り当ての前記長さに関連した第２のＲＢＧサイズのいずれかであり、
前記ＤＣＩの前記周波数領域リソース割り当てを解釈すること（９０４）が、前記第２のＲＢＧパラメータに基づいて前記周波数領域リソース割り当ての前記長さを決定することを含む、請求項５または６に記載の方法。
【請求項８】
前記第２のＲＢＧパラメータに基づいて前記周波数領域リソース割り当ての前記長さを決定することが、第２のＲＢＧのユニットにおいて前記周波数領域リソース割り当ての前記長さを決定することを含み、前記第２のＲＢＧのサイズが、（ａ）ＮのＰＲＢまたは（ｂ）前記第２のＲＢＧサイズのいずれかである、請求項７に記載の方法。
【請求項９】
前記周波数領域リソース割り当てが、前記第１のＲＢＧパラメータおよび前記第２のＲＢＧパラメータに基づいて、それぞれ前記周波数領域リソース割り当ての前記開始位置および前記長さにマッピングされるリソース指示値（ＲＩＶ）をもたらす、請求項７または８に記載の方法。
【請求項１０】
前記第１の換算係数（Ｍ）が前記第２の換算係数（Ｎ）と等しく、前記ＲＩＶを表すために必要なビット数が
2021523639.tif 000063
であり、
2021523639.tif 000064
は前記対応する帯域幅部分におけるＰＲＢの数である、請求項９に記載の方法。
【請求項１１】
前記第１のＲＢＧパラメータと前記第２のＲＢＧパラメータとが別個のパラメータである、請求項７から９のいずれか一項に記載の方法。
【請求項１２】
前記第１のＲＢＧパラメータと前記第２のＲＢＧパラメータとが（ａ）等しいパラメータまたは（ｂ）同一のパラメータのいずれかである、請求項７から９のいずれか一項に記載の方法。
【請求項１３】
前記第１のＲＢＧパラメータと前記第２のＲＢＧパラメータが
2021523639.tif 000065
と等しい値を有し、前記周波数領域リソース割り当てを除外したとき、
Ｋは、前記第１のＤＣＩフォーマットにおいて減少されたかまたは除外されたビットである、前記第２のＤＣＩフォーマットにおける１つまたは複数のフィールドに含まれるビット数に対応する、ビット減少値であり、
Ｌは、前記第２のＤＣＩフォーマットと比較して前記第１のＤＣＩフォーマットに付加された、前記第１のＤＣＩフォーマットにおける１つまたは複数のフィールドに含まれるビット数に対応するビット増加値である、請求項１２に記載の方法。
【請求項１４】
前記ＤＣＩがＤＣＩサイズ調整のための１つまたは複数のパディングビットを含む、請求項１から１３のいずれか一項に記載の方法。
【請求項１５】
前記１つまたは複数のＲＢＧパラメータを決定すること（９００）が、前記無線デバイスにおいて前記１つまたは複数のＲＢＧパラメータを決定することを含む、請求項１から１４のいずれか一項に記載の方法。
【請求項１６】
前記無線デバイスにおいて前記１つまたは複数のＲＢＧパラメータを決定すること（９００）が、前記無線デバイスにおいて前記１つまたは複数のＲＢＧパラメータを動的に決定することを含む、請求項１５に記載の方法。
【請求項１７】
前記１つまたは複数のＲＢＧパラメータを決定すること（９００）が、基地局から前記１つまたは複数のＲＢＧパラメータを設定する情報を受信することを含む、請求項１から１４のいずれか一項に記載の方法。
【請求項１８】
前記１つまたは複数のＲＢＧパラメータを設定する前記情報を受信することが、準静的設定によって前記情報を受信することを含む、請求項１７に記載の方法。
【請求項１９】
ダウンリンク制御情報（ＤＣＩ）の第１のＤＣＩフォーマットと第２のＤＣＩフォーマットとの間のフォーマットサイズの調整をもたらすための無線デバイスであって、
前記第１のＤＣＩフォーマットに対する周波数領域リソース割り当てを解釈するための１つまたは複数のリソースブロックグループ（ＲＢＧ）パラメータを決定することであって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように、前記周波数領域リソース割り当ての粒度を調節する、１つまたは複数のＲＢＧパラメータを決定することと、
前記第１のＤＣＩフォーマットを有するＤＣＩを受信することと、
前記１つまたは複数のＲＢＧパラメータに従って前記ＤＣＩの周波数領域リソース割り当てを解釈することと
を行うように適合された無線デバイス。
【請求項２０】
請求項２から１８のいずれか一項に記載の方法を実施するようにさらに適合されている、請求項１９に記載の無線デバイス。
【請求項２１】
ダウンリンク制御情報（ＤＣＩ）の第１のＤＣＩフォーマットと第２のＤＣＩフォーマットとの間のフォーマットサイズの調整をもたらすための無線デバイス（６１０）であって、
無線インターフェース（６１４）と、
前記無線インターフェース（６１４）に関連した処理回路（６２０）であって、前記無線デバイス（６１０）に、
前記第１のＤＣＩフォーマットに対する周波数領域リソース割り当てを解釈するための１つまたは複数のリソースブロックグループ（ＲＢＧ）パラメータを決定することであって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように前記周波数領域リソース割り当ての粒度を調節する、１つまたは複数のＲＢＧパラメータを決定することと、
前記第１のＤＣＩフォーマットを有するＤＣＩを受信することと、
前記１つまたは複数のＲＢＧパラメータに従って前記ＤＣＩの周波数領域リソース割り当てを解釈することとを行わせるように設定された、処理回路（６２０）と
を備える無線デバイス（６１０）。
【請求項２２】
前記処理回路（６２０）が、請求項２から１８のいずれか一項に記載の方法を前記無線デバイス（６１０）に行わせるようにさらに設定されている、請求項２１に記載の無線デバイス（６１０）。
【請求項２３】
ダウンリンク制御情報（ＤＣＩ）の第１のＤＣＩフォーマットと第２のＤＣＩフォーマットとの間のフォーマットサイズの調整をもたらすように基地局を動作させる方法であって、
前記第１のＤＣＩフォーマットに対する周波数領域リソース割り当てを解釈するための１つまたは複数のリソースブロックグループ（ＲＢＧ）パラメータを決定すること（１０００）であって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように前記周波数領域リソース割り当ての粒度を調節する、１つまたは複数のＲＢＧパラメータを決定すること（１０００）と、
前記１つまたは複数のＲＢＧパラメータに応じた前記周波数領域リソース割り当てを含み、前記第１のＤＣＩフォーマットを有する、ＤＣＩを生成すること（１００２）と、
無線デバイスに前記ＤＣＩを送信すること（１００４）と
を含む方法。
【請求項２４】
前記周波数領域リソース割り当てを除外したとき、前記第１のＤＣＩフォーマットのビットサイズが、前記第２のＤＣＩフォーマットと比較してＬ−Ｋビット増加し、
Ｋは、前記第１のＤＣＩフォーマットにおいて減少されたかまたは除外されたビットである、前記第２のＤＣＩフォーマットにおける１つまたは複数のフィールドに含まれるビット数に対応する、ビット減少値であり、
Ｌは、前記第２のＤＣＩフォーマットと比較して前記第１のＤＣＩフォーマットに付加された、前記第１のＤＣＩフォーマットにおける１つまたは複数のフィールドに含まれるビット数に対応するビット増加値であり、
前記第１のＤＣＩフォーマットに対する前記周波数領域リソース割り当てを規定するために必要な前記ビット数が、前記第２のＤＣＩフォーマットに対する周波数領域リソース割り当てを規定するために必要なビット数と比較してＬ−Ｋビット以上の分だけ減少するように、前記１つまたは複数のＲＢＧパラメータが、前記第１のＤＣＩフォーマットに対する前記周波数領域リソース割り当ての前記粒度を調節する、請求項２３に記載の方法。
【請求項２５】
対応する帯域幅部分の周波数領域サイズとともに前記１つまたは複数のＲＢＧパラメータに応じた前記ＤＣＩの前記周波数領域リソース割り当てがもたらされる、請求項２３または２４に記載の方法。
【請求項２６】
前記対応する帯域幅部分が、前記無線デバイスの対応する初期の帯域幅部分または対応する有効な帯域幅部分のいずれかである、請求項２５に記載の方法。
【請求項２７】
前記１つまたは複数のＲＢＧパラメータが第１のＲＢＧパラメータを含み、前記第１のＲＢＧパラメータが、（ａ）前記周波数領域リソース割り当ての開始位置に関連した第１の換算係数（Ｍ）または（ｂ）前記周波数領域リソース割り当ての前記開始位置に関連した第１のＲＢＧサイズのいずれかであり、
前記周波数領域リソース割り当ての前記開始位置が前記第１のＲＢＧパラメータに基づくものである、請求項２３から２６のいずれか一項に記載の方法。
【請求項２８】
前記周波数領域リソース割り当ての前記開始位置が第１のＲＢＧのユニットにおいてもたらされ、前記第１のＲＢＧのサイズが（ａ）Ｍの物理的リソースブロック（ＰＲＢ）または（ｂ）前記第１のＲＢＧサイズのいずれかである、請求項２７に記載の方法。
【請求項２９】
前記１つまたは複数のＲＢＧパラメータが第２のＲＢＧパラメータを含み、前記第２のＲＢＧパラメータが、（ａ）前記周波数領域リソース割り当ての長さに関連した第２の換算係数（Ｎ）または（ｂ）前記周波数領域リソース割り当ての前記長さに関連した第２のＲＢＧサイズのいずれかであり、
前記周波数領域リソース割り当ての前記長さが前記第２のＲＢＧパラメータに基づくものである、請求項２７または２８に記載の方法。
【請求項３０】
前記周波数領域リソース割り当ての前記長さが第２のＲＢＧのユニットにおいてもたらされ、前記第２のＲＢＧのサイズが（ａ）ＮのＰＲＢまたは（ｂ）前記第２のＲＢＧサイズのいずれかである、請求項２９に記載の方法。
【請求項３１】
前記周波数領域リソース割り当てが、前記第１のＲＢＧパラメータおよび前記第２のＲＢＧパラメータに基づいて、それぞれ前記周波数領域リソース割り当ての前記開始位置および前記長さにマッピングされるリソース指示値（ＲＩＶ）をもたらす、請求項２９または３０に記載の方法。
【請求項３２】
前記第１の換算係数（Ｍ）が前記第２の換算係数（Ｎ）と等しく、前記ＲＩＶを表すために必要なビット数が
2021523639.tif 000066
であり、
2021523639.tif 000067
は前記対応する帯域幅部分におけるＰＲＢの数である、請求項３１に記載の方法。
【請求項３３】
前記第１のＲＢＧパラメータと前記第２のＲＢＧパラメータとが別個のパラメータである、請求項２９から３１のいずれか一項に記載の方法。
【請求項３４】
前記第１のＲＢＧパラメータと前記第２のＲＢＧパラメータとが（ａ）等しいパラメータまたは（ｂ）同一のパラメータのいずれかである、請求項２９から３１のいずれか一項に記載の方法。
【請求項３５】
前記第１のＲＢＧパラメータと前記第２のＲＢＧパラメータが
2021523639.tif 000068
と等しい値を有し、前記周波数領域リソース割り当てを除外したとき、
Ｋは、前記第１のＤＣＩフォーマットにおいて減少されたかまたは除外されたビットである、前記第２のＤＣＩフォーマットにおける１つまたは複数のフィールドに含まれるビット数に対応する、ビット減少値であり、
Ｌは、前記第２のＤＣＩフォーマットと比較して前記第１のＤＣＩフォーマットに付加された、前記第１のＤＣＩフォーマットにおける１つまたは複数のフィールドに含まれるビット数に対応するビット増加値である、請求項３４に記載の方法。
【請求項３６】
前記ＤＣＩがＤＣＩサイズ調整のための１つまたは複数のパディングビットを含む、請求項２３から３５のいずれか一項に記載の方法。
【請求項３７】
前記１つまたは複数のＲＢＧパラメータを決定すること（１０００）が、前記基地局において前記１つまたは複数のＲＢＧパラメータを決定することを含む、請求項２３から３６のいずれか一項に記載の方法。
【請求項３８】
前記基地局において前記１つまたは複数のＲＢＧパラメータを決定すること（１０００）が、前記基地局において前記１つまたは複数のＲＢＧパラメータを動的に決定することを含む、請求項３７に記載の方法。
【請求項３９】
ダウンリンク制御情報（ＤＣＩ）の第１のＤＣＩフォーマットと第２のＤＣＩフォーマットとの間のフォーマットサイズの調整をもたらすための基地局であって、
前記第１のＤＣＩフォーマットに対する周波数領域リソース割り当てを解釈するための１つまたは複数のリソースブロックグループ（ＲＢＧ）パラメータを決定することであって、
前記１つまたは複数のＲＢＧパラメータが、（ａ）１つまたは複数のＲＢＧ換算係数または（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように前記周波数領域リソース割り当ての粒度を調節する、１つまたは複数のＲＢＧパラメータを決定することと、
前記１つまたは複数のＲＢＧパラメータに応じた前記周波数領域リソース割り当てを含み、前記第１のＤＣＩフォーマットを有する、ＤＣＩを生成することと、
無線デバイスに前記ＤＣＩを送信することと
を行うように適合された基地局。
【請求項４０】
請求項２４から３８のいずれか一項に記載の方法を実施するようにさらに適合されている、請求項３９に記載の基地局。
【請求項４１】
ダウンリンク制御情報（ＤＣＩ）の第１のＤＣＩフォーマットと第２のＤＣＩフォーマットとの間のフォーマットサイズの調整をもたらすための基地局（６６０）であって、
前記基地局（６６０）に、
前記第１のＤＣＩフォーマットに対する周波数領域リソース割り当てを解釈するための１つまたは複数のリソースブロックグループ（ＲＢＧ）パラメータを決定することであって、
前記１つまたは複数のＲＢＧパラメータが、（ａ）１つまたは複数のＲＢＧ換算係数あるいは（ｂ）１つまたは複数のＲＢＧサイズのいずれかであり、
前記１つまたは複数のＲＢＧパラメータが、前記第１のＤＣＩフォーマットのサイズを前記第２のＤＣＩフォーマットのサイズと合致させるために、前記周波数領域リソース割り当てを規定するのに必要なビット数を調節するように前記周波数領域リソース割り当ての粒度を調節する、１つまたは複数のＲＢＧパラメータを決定することと、
前記１つまたは複数のＲＢＧパラメータに応じた前記周波数領域リソース割り当てを含み、前記第１のＤＣＩフォーマットを有する、ＤＣＩを生成することと、
前記ＤＣＩを無線デバイス（６１０）に送信することとを行わせるように設定された処理回路（６７０）
を備える基地局（６６０）。
【請求項４２】
前記処理回路（６７０）が、請求項２４から３８のいずれか一項に記載の方法を前記基地局（６６０）に行わせるようにさらに設定されている、請求項４１に記載の基地局（６６０）。
【国際調査報告】
2021523639.tif 000069
2021523639.tif 000070